(57)【特許請求の範囲】
【請求項１】
ワイヤレスネットワーク通信を管理するシステムにおいて、
第１の無線アクセス技術（ＲＡＴ）を使用する第１のセルと、
第２のＲＡＴを使用する第２のセルとを具備し、
前記第１のセルは、
電源投入状態および電源切断状態を有し、
複数のＵＥとともにデータを送受信するように構成されており、
１つ以上の予め規定されている条件の第１のセットに基づいて、前記電源切断状態に入り、前記電源切断状態において、前記電源投入状態よりも少ない電力を消費し、
１つ以上の予め規定されている条件の第２のセットに基づいて、前記電源投入状態に入り、前記電源投入状態において、前記電源切断状態よりも多い電力を消費するようにさらに構成されており、
前記第２のセルは、
前記第１のセルと通信し、
少なくとも、前記第１のＲＡＴを使用する前記第１のセルが前記電源切断状態であるときに、前記複数のＵＥにワイヤレスサービスを提供し、
前記第１のセルが前記電源切断状態であるときに、前記複数のＵＥのいずれかからの要求に応じて前記第１のセルに前記電源投入状態に入ることを要求し、
前記第１のセルが前記電源投入状態であるときに、前記第１のセルを使用する、前記複数のＵＥのうちの少なくとも１つのＵＥを移行するように構成されており、
前記１つ以上の予め規定されている条件の第１のセットは、前記第１のＲＡＴによりサポートされているが、前記第２のＲＡＴによってはサポートされていないサービスを、前記複数のＵＥのうちのどのＵＥも使用していないという条件を含むシステム。
【請求項２】
前記１つ以上の予め規定されている条件の第１のセットは、前記第１のＲＡＴを使用する前記第１のセル上の負荷が、予め規定されているしきい値を下回るという条件を含む請求項１に記載のシステム。
【請求項３】
前記１つ以上の予め規定されている条件の第１のセットは、前記電源切断状態に入るためのタイマがトリガされるという条件を含む請求項１に記載のシステム。
【請求項４】
前記１つ以上の予め規定されている条件の第２のセットは、前記第２のセルからサービスを受信している前記複数のＵＥのうちの一部が弱い信号受取を報告するという条件を含む請求項１に記載のシステム。
【請求項５】
前記１つ以上の予め規定されている条件の第２のセットは、前記第２のセルからサービスを受信している特定のＵＥが、前記第２のＲＡＴによりサポートされていないが、前記第１のＲＡＴによってはサポートされている、サービスの品質またはアプリケーションを要求するという条件を含む請求項１に記載のシステム。
【請求項６】
前記１つ以上の予め規定されている条件の第２のセットは、前記第２のＲＡＴを使用する前記第２のセルの負荷がしきい値負荷を超えるという条件を含む請求項１に記載のシステム。
【請求項７】
前記１つ以上の予め規定されている条件の第２のセットは、前記電源切断状態を出るためのタイマがトリガされるという条件を含む請求項１に記載のシステム。
【請求項８】
前記第２のＲＡＴを使用し、前記第２のセルを含む無線アクセスネットワーク（ＲＡＮ）をさらに具備し、
前記１つ以上の予め定められている条件の、前記第１のセット、前記第２のセットおよび双方のセットは、前記ＲＡＮにより評価されるように構成されている請求項１に記載のシステム。
【請求項９】
前記第２のセルを含む、前記第２のＲＡＴのコアネットワークをさらに具備し、
前記１つ以上の予め定められている条件の、前記第１のセット、前記第２のセットおよび双方のセットは、前記コアネットワークにより評価される請求項１に記載のシステム。
【請求項１０】
前記無線アクセスネットワークは、
ＵＭＴＳ無線アクセスネットワーク（ＵＴＲＡＮ）と、
ＧＳＭ(登録商標)エッジ無線アクセスネットワーク（ＧＥＲＡＮ）とからなるグループから選択される請求項８に記載のシステム。
【請求項１１】
前記第１のセルはｅノードＢを備え、前記第１のＲＡＴはＬＴＥであり、
前記１つ以上の予め定められている条件の、前記第１のセット、前記第２のセットおよび双方のセットは、前記ｅノードＢにより評価される請求項１に記載のシステム。
【請求項１２】
前記第２のＲＡＴを使用し、前記第２のセルと通信する無線ネットワーク制御装置をさらに具備し、
前記１つ以上の予め規定されている条件の第２のセットは、前記無線ネットワーク制御装置により評価されるように構成されている請求項１に記載のシステム。
【請求項１３】
前記第２のＲＡＴを使用する前記第２のセルは、
前記第１のセルが、前記電源投入状態に入る間に、または、前記電源投入状態に入ることに続いて、前記第２のＲＡＴよりも前記第１のＲＡＴを優先させるように前記複数のＵＥのうちの少なくとも一部に命令する情報を、前記複数のＵＥの前記一部にブロードキャストするようにさらに構成されている請求項１に記載のシステム。
【請求項１４】
前記第２のＲＡＴを使用する前記第２のセルは、
前記第１のセルが、前記電源切断状態に入る間に、または、電源切断状態に入ることに続いて、前記第１のＲＡＴよりも前記第２のＲＡＴを優先させるように前記複数のＵＥのうちの少なくとも一部に命令する情報を、前記複数のＵＥの前記一部にブロードキャストするようにさらに構成されている請求項１に記載のシステム。
【請求項１５】
前記第１のＲＡＴを使用する前記第１のセルは、ＲＡＴ間のハンドオーバープロセスに参加し、前記複数のＵＥのうちの１つ以上のＵＥを、前記第２のＲＡＴを使用する前記第２のセルに移すようにさらに構成されている請求項１に記載のシステム。
【請求項１６】
前記第２のＲＡＴを使用する前記第２のセルは、ＲＡＴ間のハンドオーバープロセスに参加し、前記複数のＵＥのうちの１つ以上のＵＥを、前記第１のＲＡＴを使用する前記第１のセルに移すようにさらに構成されている請求項１に記載のシステム。
【請求項１７】
ワイヤレスネットワーク通信を管理するための方法において、
第１のセルにより、第１のサービスレベルで複数のＵＥにワイヤレスサービスを提供することと、
第２のセルにより、前記複数のＵＥにワイヤレスサービスを提供することと、
前記第１のセルが電源投入状態であるときに、前記第１のセルを使用する、前記複数のＵＥのうちの少なくとも１つのＵＥを前記第２のセルから移行することと
を含み、
前記第１のセルは、
第１の無線アクセス技術（ＲＡＴ）を使用し、
前記電源投入状態および電源切断状態を有し、
１つ以上の予め規定されている条件の第１のセットに基づいて、前記電源切断状態に入り、前記電源切断状態において、前記電源投入状態よりも少ない電力を消費することと、
１つ以上の予め規定されている条件の第２のセットに基づいて、前記電源投入状態に入り、前記電源投入状態において、前記電源切断状態よりも多い電力を消費することとをさらに含み、
前記第２のセルは、
第２のＲＡＴを使用し、
前記第１のセルと通信し、
少なくとも、前記第１のＲＡＴを使用する前記第１のセルが前記電源切断状態であるときに、前記複数のＵＥにワイヤレスサービスを提供し、
前記第１のセルが前記電源切断状態であるときに、前記複数のＵＥのいずれかからの要求に応じて前記第１のセルに前記電源投入状態に入ることを要求し、
前記１つ以上の予め規定されている条件の第１のセットは、前記第１のＲＡＴによりサポートされているが、前記第２のＲＡＴによってはサポートされていないサービスを、前記複数のＵＥのうちのどのＵＥも使用していないという条件を含む方法。
【請求項１８】
前記１つ以上の予め規定されている条件の第１のセットは、前記第１のＲＡＴを使用する前記第１のセル上の負荷が、予め規定されているしきい値を下回るという条件を含む請求項１７に記載の方法。
【請求項１９】
前記１つ以上の予め規定されている条件の第１のセットは、前記電源切断状態に入るためのタイマがトリガされるという条件を含む請求項１７に記載の方法。
【請求項２０】
前記１つ以上の予め規定されている条件の第２のセットは、前記第２のセルからサービスを受信している前記複数のＵＥのうちの一部が弱い信号を報告するという条件を含む請求項１７に記載の方法。
【請求項２１】
前記１つ以上の予め規定されている条件の第２のセットは、前記第２のセルからサービスを受信している特定のＵＥが、前記第２のＲＡＴによりサポートされていないが、前記第１のＲＡＴによってはサポートされている、サービスの品質またはアプリケーションを要求するという条件を含む請求項１７に記載の方法。
【請求項２２】
前記１つ以上の予め規定されている条件の第２のセットは、第２のＲＡＴ負荷がしきい値負荷を超えるという条件を含み、
前記第２のＲＡＴ負荷は、前記第２のＲＡＴを使用する複数のセルに対する負荷を含み、
前記第２のＲＡＴ負荷は、前記第２のセルに対する負荷を含む請求項１７に記載の方法。
【請求項２３】
前記１つ以上の予め規定されている条件の第２のセットは、前記電源切断状態を出るためのタイマがトリガされるという条件を含む請求項１７に記載の方法。
【請求項２４】
前記第１のＲＡＴは４Ｇ ＲＡＴであり、前記第２のＲＡＴは３Ｇ ＲＡＴである請求項１７に記載の方法。
【請求項２５】
前記第１のセルはｅノードＢを備え、前記第１のＲＡＴはＬＴＥであり、
前記１つ以上の予め定められている条件の第１のセットは、前記ｅノードＢにより評価される請求項１７に記載の方法。
【請求項２６】
前記第１のセルが電源投入状態であるときに、前記第１のセルを使用する、前記複数のＵＥのうちの少なくとも１つのＵＥを前記第２のセルから移行することは、
前記第２のＲＡＴよりも前記第１のＲＡＴを優先させるように前記複数のＵＥのうちの少なくとも一部に命令する情報を、前記複数のＵＥのうちの前記一部に前記第２のセルによりブロードキャストすることを含む請求項１７に記載の方法。
【請求項２７】
前記第１のセルが電源投入状態であるときに、前記第１のセルを使用する、前記複数のＵＥのうちの少なくとも１つのＵＥを前記第２のセルから移行することは、
前記複数のＵＥのうちの１つ以上のＵＥを、前記第２のＲＡＴを使用する前記第２のセルから前記第１のＲＡＴを使用する前記第１のセルに移すための、ＲＡＴ間のハンドオーバープロセスを、前記第１のセルおよび前記第２のセルにより実行することを含む請求項１７に記載の方法。
【請求項２８】
一時的ではないプロセッサ読取可能媒体であって、プロセッサ読取可能命令を含むコンピュータプログラムを記憶したコンピュータ可読記憶媒体において、
前記プロセッサ読取可能命令は、
第１のサービスレベルで複数のＵＥにワイヤレスサービスを第１のセルに提供させ、
前記複数のＵＥにワイヤレスサービスを第２のセルに提供させ、
前記第１のセルが電源投入状態であるときに、前記第１のセルを使用する、前記複数のＵＥのうちの１つ以上のＵＥを前記第２のセルから移行させるように、プロセッサにさせるように構成されており、
前記第１のセルは、第１の無線アクセス技術（ＲＡＴ）を使用し、
前記電源投入状態および電源切断状態を有し、
１つ以上の予め規定されている条件の第１のセットに基づいて、前記第１のセルに、前記電源切断状態に入らせ、前記電源切断状態において、前記電源投入状態よりも少ない電力を消費させ、
前記第２のセルは、第２のＲＡＴを使用し、
前記第１のセルと通信し、
少なくとも、前記第１のＲＡＴを使用する前記第１のセルが前記電源切断状態であるときに、前記複数のＵＥにワイヤレスサービスを提供し、
前記第１のセルが前記電源切断状態であるときに、前記複数のＵＥのいずれかからの要求に応じて前記第１のセルに前記電源投入状態に入ることを要求し、
１つ以上の予め規定されている条件の第２のセットに基づいて、前記第１のセルに、前記電源投入状態に入らせ、前記電源投入状態において、前記電源切断状態よりも多い電力を消費させるように、前記プロセッサにさせるように構成されているプロセッサ読取可能命令をさらに含み、
前記１つ以上の予め規定されている条件の第１のセットは、前記第１のＲＡＴによりサポートされているが、前記第２のＲＡＴによってはサポートされていないサービスを、前記複数のＵＥのうちのどのＵＥも使用していないという条件を含むコンピュータ可読記憶媒体。
【請求項２９】
前記１つ以上の予め規定されている条件の第１のセットは、前記第１のＲＡＴを使用する前記第１のセル上の負荷が、予め規定されているしきい値を下回るという条件を含む請求項２８に記載のコンピュータ可読記憶媒体。
【請求項３０】
前記１つ以上の予め規定されている条件の第１のセットは、前記電源切断状態に入るためのタイマがトリガされるという条件を含む請求項２８に記載のコンピュータ可読記憶媒体。
【請求項３１】
前記１つ以上の予め規定されている条件の第２のセットは、前記第２のセルからサービスを受信している前記複数のＵＥのうちの一部が弱い信号を報告するという条件を含む請求項２８に記載のコンピュータ可読記憶媒体。
【請求項３２】
前記１つ以上の予め規定されている条件の第２のセットは、前記第２のセルからサービスを受信している特定のＵＥが、前記第２のＲＡＴによりサポートされていないが、前記第１のＲＡＴによってはサポートされている、サービスの品質またはアプリケーションを要求するという条件を含む請求項２８に記載のコンピュータ可読記憶媒体。
【請求項３３】
前記１つ以上の予め規定されている条件の第２のセットは、前記第２のＲＡＴを使用する前記第２のセルの負荷がしきい値負荷を超えるという条件を含む請求項２８に記載のコンピュータ可読記憶媒体。
【請求項３４】
前記１つ以上の予め規定されている条件の第２のセットは、前記電源切断状態を出るためのタイマがトリガされるという条件を含む請求項２８に記載のコンピュータ可読記憶媒体。
【請求項３５】
前記第１のＲＡＴは４Ｇ ＲＡＴであり、前記第２のＲＡＴは３Ｇ ＲＡＴである請求項２８に記載のコンピュータ可読記憶媒体。
【請求項３６】
前記第１のセルが電源投入状態であるときに、前記第１のセルを使用する、前記複数のＵＥのうちの１つ以上のＵＥを移行させるように、前記プロセッサにさせるように構成されているプロセッサ読取可能命令は、
前記第２のＲＡＴよりも前記第１のＲＡＴを優先させるように前記複数のＵＥのうちの少なくとも一部に命令する情報を、前記複数のＵＥのうちの前記一部に前記第２のセルにブロードキャストさせるように、前記プロセッサにさせるように構成されているプロセッサ読取可能命令をさらに含む請求項２８に記載のコンピュータ可読記憶媒体。
【請求項３７】
前記第１のセルが電源投入状態であるときに、前記第１のセルを使用する、前記複数のＵＥのうちの１つ以上のＵＥを移行させるように、前記プロセッサにさせるように構成されているプロセッサ読取可能命令は、
前記複数のＵＥのうちの１つ以上のＵＥを、前記第２のＲＡＴを使用する前記第２のセルから前記第１のＲＡＴを使用する前記第１のセルに移すための、ＲＡＴ間のハンドオーバープロセスを、前記第１のセルおよび前記第２のセルに実行させるように、前記プロセッサにさせるように構成されているプロセッサ読取可能命令をさらに含む請求項２８に記載のコンピュータ可読記憶媒体。
【請求項３８】
ワイヤレスネットワーク通信を管理する装置において、
第１の無線アクセス技術（ＲＡＴ）を使用して、第１のサービスレベルで複数のＵＥにワイヤレスサービスを提供する第１の手段と、
第２の無線アクセス技術を使用し、及び前記第１の手段と通信して、前記複数のＵＥにワイヤレスサービスを提供する第２の手段と、
前記第１の手段が電源投入状態であるときに、前記第１の手段を使用する、前記複数のＵＥのうちの少なくとも１つのＵＥを前記第２の手段から移行する第３の手段とを具備し、
前記第１の手段は、前記電源投入状態および電源切断状態を有し、
前記第２の手段は、少なくとも、前記第１のＲＡＴを使用する前記第１の手段が前記電源切断状態であるときに、前記複数のＵＥにワイヤレスサービスを提供し、および前記第１の手段が前記電源切断状態であるときに、前記複数のＵＥのいずれかからの要求に応じて前記第１の手段に前記電源投入状態に入ることを要求し、
１つ以上の予め規定されている条件の第１のセットに基づいて、前記第１の手段を前記電源切断状態に入れる手段であり、前記第１の手段は、前記電源切断状態において、前記電源投入状態よりも少ない電力を消費する第４の手段と、
１つ以上の予め規定されている条件の第２のセットに基づいて、前記第１の手段を前記電源投入状態に入れる手段であり、前記第１の手段は、前記電源投入状態において、前記電源切断状態よりも多い電力を消費する第５の手段と
をさらに具備し、
前記１つ以上の予め規定されている条件の第１のセットは、前記第１のＲＡＴによりサポートされているが、前記第２のＲＡＴによってはサポートされていないサービスを、前記複数のＵＥのうちのどのＵＥも使用していない場合に、前記第１の手段は、前記電源切断状態に入ることを許可されるという条件を含む装置。
【請求項３９】
前記１つ以上の予め規定されている条件の第１のセットは、前記第１のＲＡＴを使用する第１のセル上の負荷が、予め規定されているしきい値を下回るという条件を含む請求項３８に記載の装置。
【請求項４０】
前記１つ以上の予め規定されている条件の第１のセットは、前記電源切断状態に入るためのタイマがトリガされるという条件を含む請求項３８に記載の装置。
【請求項４１】
前記１つ以上の予め規定されている条件の第２のセットは、前記第２の手段からサービスを受信している前記複数のＵＥのうちの一部が弱い信号を報告するという条件を含む請求項３８に記載の装置。
【請求項４２】
前記１つ以上の予め規定されている条件の第２のセットは、前記第２の手段からサービスを受信している特定のＵＥが、前記第２のＲＡＴによりサポートされていないが、前記第１のＲＡＴによってはサポートされている、サービスの品質またはアプリケーションを要求するという条件を含む請求項３８に記載の装置。
【請求項４３】
前記１つ以上の予め規定されている条件の第２のセットは、前記第２のＲＡＴを使用する前記第２の手段の負荷を含む負荷がしきい値負荷を超えるという条件を含む請求項３８に記載の装置。
【請求項４４】
前記１つ以上の予め規定されている条件の第２のセットは、前記電源切断状態を出るためのタイマがトリガされるという条件を含む請求項３８に記載の装置。
【請求項４５】
前記第１のＲＡＴは４Ｇ ＲＡＴであり、前記第２のＲＡＴは３Ｇ ＲＡＴである請求項３８に記載の装置。
【請求項４６】
前記第３の手段は、
前記第２のＲＡＴよりも前記第１のＲＡＴを優先させるように前記複数のＵＥのうちの少なくとも一部に命令する情報を、前記複数のＵＥのうちの前記一部にブロードキャストする手段を備える請求項３８に記載の装置。
【請求項４７】
前記第３の手段は、
前記複数のＵＥのうちの１つ以上のＵＥを、前記第２のＲＡＴを使用する前記第２の手段から前記第１のＲＡＴを使用する前記第１の手段に移すための、ＲＡＴ間のハンドオーバープロセスを実行する手段を備える請求項３８に記載の装置。
【発明の詳細な説明】
【関連出願への相互参照】
【０００１】
本出願は、“ネットワークエネルギーセービングのためのシステムおよび方法”と題し、２０１０年１０月１９日に出願された米国出願第６１／３９４，５９５号に対して優先権を主張する。本出願はまた、“ネットワークエネルギーセービングのためのシステムおよび方法”と題し、２０１０年４月２６日に出願された米国出願第６１／３２７，７８４号に対して優先権を主張する。本出願はさらに、“ネットワークエネルギーセービングスキーム”と題し、２０１０年３月２４日に出願された米国出願第６１／３１７，２７３号に対して優先権を主張する。これらの３件の出願のそれぞれは、あらゆる目的のために、参照によりここに組み込まれている。
【背景】
【０００２】
ＬＴＥ標準規格（ロングタームエボリューション、いくつかの“４Ｇ”ネットワークにより使用される標準規格）に基づくネットワークのような、先進のセルラネットワークは、国および世界全体にわたって発展している。４Ｇネットワークにより、ユーザ機器（例えば、スマートフォンを含むセルラ電話機、ラップトップおよびタブレットコンピュータ）によって、データを多用するアプリケーションを実行できるようになる。ユーザ機器（ＵＥと呼ばれる）とワイヤレスに通信する４Ｇセルを含む、４Ｇネットワークは、膨大な電力量を消費することがあり、４Ｇネットワークの４Ｇセルにより提供される４ＧサービスをどのＵＥも利用しない場合は、不経済である。
【概要】
【０００３】
ワイヤレスネットワーク通信を管理するためのシステム、方法、装置およびデバイスを提供する。ワイヤレスネットワーク通信を管理するためのシステムの例は、第１の無線アクセス技術（ＲＡＴ）を使用する第１のセルを備えてもよく、第１のセルは、電源投入状態および電源切断状態を有する。第１のセルは、複数のＵＥとともに、データを送受信してもよい。システムは、第２のＲＡＴを使用する第２のセルを備えてもよく、第１のセルと通信し、少なくとも、第１のＲＡＴを使用する第１のセルが電源切断状態であるときに、複数のＵＥにワイヤレスサービスを提供し、第１のセルが電源投入状態であるときに、第１のセルを使用する、複数のＵＥのうちの少なくとも１つのＵＥを移行するように構成されていてもよい。
【０００４】
このようなシステムの実施形態は、以下のもののうちの１つ以上を含んでもよい。１つ以上の予め規定されている条件の第１のセットに基づいて、第１のセルは電源切断状態に入ってもよく、第１のセルは、電源切断状態において、電源投入状態よりも少ない電力を消費する。１つ以上の予め規定されている条件の第２のセットに基づいて、第１のセルは電源投入状態に入ってもよく、第１のセルは、電源投入状態において、電源切断状態よりも多い電力を消費する。また、第１のＲＡＴによりサポートされているが、第２のＲＡＴによってはサポートされていないサービスを、複数のＵＥのうちのどのＵＥも使用していない場合に、第１のセルは、電源切断状態に入ることを許可される。１つ以上の予め規定されている条件の第１のセットは、第１のＲＡＴを使用する第１のセル上の負荷が、予め規定されているしきい値を下回る場合に、第１のセルは、電源切断状態に入ることを許可されるという条件を含んでもよい。１つ以上の予め規定されている条件の第１のセットは、電源切断状態に入るためのタイマがトリガされた場合に、第１のセルは、電源切断状態に入ることを許可されるという条件を含んでもよい。１つ以上の予め規定されている条件の第２のセットは、第２のセルからサービスを受信している複数のＵＥのうちの一部が弱い信号を報告する場合に、第１のセルは、電源投入状態に入るように要求されるという条件を含んでもよい。１つ以上の予め規定されている条件の第２のセットは、第２のセルからサービスを受信している特定のＵＥが、第２のＲＡＴによりサポートされていないが、第１のＲＡＴによってはサポートされている、サービスの品質またはアプリケーションを要求する場合に、第１のセルは、電源投入状態に入ることを要求されるという条件を含んでもよい。１つ以上の予め規定されている条件の第２のセットは、第２のＲＡＴを使用する第２のセルの負荷がしきい値負荷を超える場合に、第１のセルは、電源投入状態に入るように要求されるという条件を含んでもよい。１つ以上の予め規定されている条件の第２のセットは、電源切断状態を出るためのタイマがトリガされた場合に、第１のセルは、電源投入状態に入ることを許可されるという条件を含んでもよい。
【０００５】
さらに、システムの実施形態は、以下のもののうちの１つ以上を含んでもよい。第２のＲＡＴを使用し、第２のセルを含む無線アクセスネットワーク（ＲＡＮ）が存在し、１つ以上の予め規定されている条件の、第１のセット、第２のセット、または双方のセットは、ＲＡＮにより評価されるように構成されている。システムは、第２のＲＡＴのコアネットワークを備えていてもよく、第２のセルを備え、１つ以上の予め規定されている条件の、第１のセット、第２のセット、または双方のセットは、コアネットワークにより評価されるように構成されている。無線アクセスネットワークは、ＵＭＴＳ無線アクセスネットワーク（ＵＴＲＡＮ）と、ＧＳＭ（登録商標）エッジ無線アクセスネットワーク（ＧＥＲＡＮ）とからなるグループから選択される。第１のセルはｅノードＢを含んでもよく、第１のＲＡＴはＬＴＥであってもよく、１つ以上の予め規定されている条件の、第１のセット、第２のセット、または双方のセットは、ｅノードＢにより評価されるように構成されている。システムは、第２のＲＡＴを使用する無線ネットワーク制御装置を備え、第２のセルと通信し、１つ以上の予め規定されている条件の第２のセットは、無線ネットワーク制御装置により評価されるように構成されている。第２のＲＡＴを使用する第２のセルは、第１のセルが、電源投入状態に入る間に、または、電源投入状態に入ることに続いて、第２のＲＡＴよりも第１のＲＡＴを優先させるように複数のＵＥのうちの少なくとも一部に命令する情報を、複数のＵＥのうちの一部にブロードキャストするようにさらに構成されていてもよい。第２のＲＡＴを使用する第２のセルは、第１のセルが、電源切断状態に入る間に、または、電源切断状態に入ることに続いて、第１のＲＡＴよりも第２のＲＡＴを優先させるように複数のＵＥのうちの少なくとも一部に命令する情報を、複数のＵＥのうちの一部にブロードキャストするようにさらに構成されていてもよい。第１のＲＡＴを使用する第１のセルは、ＲＡＴ間のハンドオーバープロセスに参加し、複数のＵＥのうちの１つ以上のＵＥを、第２のＲＡＴを使用する第２のセルに移すようにさらに構成されている。第２のＲＡＴを使用する第２のセルは、ＲＡＴ間のハンドオーバープロセスに参加し、複数のＵＥのうちの１つ以上のＵＥを、第１のＲＡＴを使用する第１のセルに移すようにさらに構成されている。
【０００６】
ワイヤレスネットワーク通信を管理するための方法の例は、第１のセルにより、第１のサービスレベルで複数のＵＥにワイヤレスサービスを提供することを含んでもよく、第１のセルは第１の無線アクセス技術（ＲＡＴ）を使用し、第１のセルは、電源投入状態および電源切断状態を有する。方法は、第２のセルにより、複数のＵＥにワイヤレスサービスを提供することを含んでもよく、第２のセルは第２の無線アクセス技術を使用し、第２のセルは、少なくとも、第１のＲＡＴを使用する第１のセルが電源切断状態であるときに、複数のＵＥにワイヤレスサービスを提供する。方法はまた、第１のセルが電源投入状態であるときに、第１のセルを使用する、複数のＵＥのうちの少なくとも１つのＵＥを第２のセルから移行することを含んでもよい。
【０００７】
方法の実施形態は、１つ以上の予め規定されている条件の第１のセットに基づいて、第１のセルによって、電源切断状態に入り、第１のセルは、電源切断状態において、電源投入状態よりも少ない電力を消費することと、１つ以上の予め規定されている条件の第２のセットに基づいて、第１のセルによって、電源投入状態に入り、第１のセルは、電源投入状態において、電源切断状態よりも多い電力を消費することとのうちの１つ以上を含んでもよい。１つ以上の予め規定されている条件の第１のセットは、第１のＲＡＴによりサポートされているが、第２のＲＡＴによってはサポートされていないサービスを、複数のＵＥのうちのどのＵＥも使用していない場合に、第１のセルは、電源切断状態に入ることを許可されるという条件を含んでもよい。１つ以上の予め規定されている条件の第１のセットは、第１のＲＡＴを使用する第１のセル上の負荷が、予め規定されているしきい値を下回る場合に、第１のセルは、電源切断状態に入ることを許可されるという条件を含んでもよい。１つ以上の予め規定されている条件の第１のセットは、電源切断状態に入るためのタイマがトリガされた場合に、第１のセルは、電源切断状態に入ることを許可されるという条件を含んでもよい。１つ以上の予め規定されている条件の第２のセットは、第２のセルからサービスを受信している複数のＵＥのうちの一部が弱い信号を報告する場合に、第１のセルは、電源投入状態に入るように要求されるという条件を含んでもよい。１つ以上の予め規定されている条件の第２のセットは、第２のセルからサービスを受信している特定のＵＥが、第２のＲＡＴによりサポートされていないが、第１のＲＡＴによってはサポートされている、サービスの品質またはアプリケーションを要求する場合に、第１のセルは、電源投入状態に入ることを要求されるという条件を含んでもよい。１つ以上の予め規定されている条件の第２のセットは、第２のＲＡＴの負荷がしきい値負荷を超える場合に、第１のセルは、電源投入状態に入るように要求されるという条件を含んでもよい。第２のＲＡＴの負荷は、第２のＲＡＴを使用する複数のセルに対する負荷を含み、第２のＲＡＴの負荷は、第２のセルに対する負荷を含む。１つ以上の予め規定されている条件の第２のセットは、電源切断状態を出るためのタイマがトリガされた場合に、第１のセルは、電源投入状態に入ることを許可されるという条件を含んでもよい。第１のＲＡＴは４Ｇ ＲＡＴであってもよく、第２のＲＡＴは３Ｇ ＲＡＴであってもよい。第１のセルはｅノードＢを含んでもよく、第１のＲＡＴはＬＴＥであり、複数の予め規定されている条件の第１のセットは、ｅノードＢにより評価されるように構成されている。
【０００８】
さらに、方法の実施形態は、以下のもののうちの１つ以上を含んでもよい。第１のセルが電源投入状態であるときに、第１のセルを使用する、複数のＵＥのうちの少なくとも１つのＵＥを第２のセルから移行することは、第２のＲＡＴよりも第１のＲＡＴを優先させるように複数のＵＥのうちの少なくとも一部に命令する情報を、複数のＵＥのうちの一部に第２のセルによりブロードキャストすることを含む。第１のセルが電源投入状態であるときに、第１のセルを使用する、複数のＵＥのうちの少なくとも１つのＵＥを第２のセルから移行することは、複数のＵＥのうちの１つ以上のＵＥを、第２のＲＡＴを使用する第２のセルから第１のＲＡＴを使用する第１のセルに移すための、ＲＡＴ間のハンドオーバープロセスを、第１のセルおよび第２のセルにより実行することを含んでもよい。
【０００９】
一時的ではないプロセッサ読取可能媒体上に常駐するコンピュータプログラムプロダクトの例は、第１のセルに、第１のサービスレベルで複数のＵＥにワイヤレスサービスを提供させるように、プロセッサにさせるように構成されているプロセッサ読取可能命令を含み、第１のセルは第１の無線アクセス技術（ＲＡＴ）を使用し、第１のセルは、電源投入状態および電源切断状態を有する。プロセッサ読取可能命令は、第２のセルに、複数のＵＥにワイヤレスサービスを提供させるように、プロセッサにさせるように構成されており、第２のセルは第２の無線アクセス技術を使用し、第２のセルは、少なくとも、第１のＲＡＴを使用する第１のセルが電源切断状態であるときに、複数のＵＥにワイヤレスサービスを提供する。プロセッサ読取可能命令はまた、第１のセルが電源投入状態であるときに、第１のセルを使用する、複数のＵＥのうちの１つ以上のＵＥを第２のセルから移行させるように、プロセッサにさせるように構成されていてもよい。
【００１０】
コンピュータプログラムプロダクトの実施形態は、１つ以上の予め規定されている条件の第１のセットに基づいて、第１のセルに、電源切断状態に入らせ、第１のセルは、電源切断状態において、電源投入状態よりも少ない電力を消費するように、プロセッサにさせるように構成されているプロセッサ読取可能命令と、１つ以上の予め規定されている条件の第２のセットに基づいて、第１のセルに、電源投入状態に入らせ、第１のセルは、電源投入状態において、電源切断状態よりも多い電力を消費するように、プロセッサにさせるように構成されているプロセッサ読取可能命令とのうちの１つ以上を含んでもよい。１つ以上の予め規定されている条件の第１のセットは、第１のＲＡＴによりサポートされているが、第２のＲＡＴによってはサポートされていないサービスを、複数のＵＥのうちのどのＵＥも使用していない場合に、第１のセルは、電源切断状態に入ることを許可されるという条件を含んでもよい。１つ以上の予め規定されている条件の第１のセットは、第１のＲＡＴを使用する第１のセル上の負荷が、予め規定されているしきい値を下回る場合に、第１のセルは、電源切断状態に入ることを許可されるという条件を含んでもよい。１つ以上の予め規定されている条件の第１のセットは、電源切断状態に入るためのタイマがトリガされた場合に、第１のセルは、電源切断状態に入ることを許可されるという条件を含んでもよい。１つ以上の予め規定されている条件の第２のセットは、第２のセルからサービスを受信している複数のＵＥのうちの一部が弱い信号を報告する場合に、第１のセルは、電源投入状態に入るように要求されるという条件を含んでもよい。１つ以上の予め規定されている条件の第２のセットは、第２のセルからサービスを受信している特定のＵＥが、第２のＲＡＴによりサポートされていないが、第１のＲＡＴによってはサポートされている、サービスの品質またはアプリケーションを要求する場合に、第１のセルは、電源投入状態に入ることを要求されるという条件を含んでもよい。１つ以上の予め規定されている条件の第２のセットは、第２のＲＡＴを使用する第２のセルの負荷がしきい値負荷を超える場合に、第１のセルは、電源投入状態に入るように要求されるという条件を含んでもよい。１つ以上の予め規定されている条件の第２のセットは、電源切断状態を出るためのタイマがトリガされた場合に、第１のセルは、電源投入状態に入ることを許可されるという条件を含んでもよい。第１のＲＡＴは４Ｇ ＲＡＴであってもよく、第２のＲＡＴは３Ｇ ＲＡＴであってもよい。
【００１１】
第１のセルが電源投入状態であるときに、第１のセルを使用する、複数のＵＥのうちの１つ以上のＵＥを第２のセルから移行させるように、プロセッサにさせるように構成されているプロセッサ読取可能命令は、第２のＲＡＴよりも第１のＲＡＴを優先させるように複数のＵＥのうちの少なくとも一部に命令する情報を、複数のＵＥのうちの一部に第２のセルにブロードキャストさせるように、プロセッサにさせるように構成されているプロセッサ読取可能命令を含んでもよい。第１のセルが電源投入状態であるときに、第１のセルを使用する、複数のＵＥのうちの１つ以上のＵＥを第２のセルから移行させるように、プロセッサにさせるように構成されているプロセッサ読取可能命令は、複数のＵＥのうちの１つ以上のＵＥを、第２のＲＡＴを使用する第２のセルから第１のＲＡＴを使用する第１のセルに移すための、ＲＡＴ間のハンドオーバープロセスを、第１のセルおよび第２のセルに実行させるように、プロセッサにさせるように構成されているプロセッサ読取可能命令をさらに含んでもよい。
【００１２】
ワイヤレスネットワーク通信を管理する装置の例は、第１の無線アクセス技術（ＲＡＴ）を使用して、第１のサービスレベルで複数のＵＥにワイヤレスサービスを提供する第１の手段を備えていてもよく、第１の手段は、電源投入状態および電源切断状態を有する。装置はまた、第２の無線アクセス技術を使用して、複数のＵＥにワイヤレスサービスを提供する第２の手段を備えていてもよく、第２の手段は、少なくとも、第１のＲＡＴを使用する第１の手段が電源切断状態であるときに、複数のＵＥにワイヤレスサービスを提供する。装置はまた、第１の手段が電源投入状態であるときに、第１の手段を使用する、複数のＵＥのうちの少なくとも１つのＵＥを第２の手段から移行する手段を備えていてもよい。
【００１３】
装置の実施形態は、予め規定されている条件の第１のセットに基づいて、第１の手段を電源切断状態に入れる手段であり、第１の手段は、電源切断状態において、電源投入状態よりも少ない電力を消費する第３の手段と、１つ以上の予め規定されている条件の第２のセットに基づいて、第１の手段を電源投入状態に入れる手段であり、第１の手段は、電源投入状態において、電源切断状態よりも多い電力を消費する第４の手段とのうちの１つ以上を備えていてもよい。１つ以上の予め規定されている条件の第１のセットは、第１のＲＡＴによりサポートされているが、第２のＲＡＴによってはサポートされていないサービスを、複数のＵＥのうちのどのＵＥも使用していない場合に、第１の手段は、電源切断状態に入ることを許可されるという条件を含んでもよい。
【００１４】
１つ以上の予め規定されている条件の第１のセットは、第１のＲＡＴを使用する第１のセル上の負荷が、予め規定されているしきい値負荷を下回る場合に、第１の手段は、電源切断状態に入ることを許可されるという条件を含んでもよい。１つ以上の予め規定されている条件の第１のセットは、電源切断状態に入るためのタイマがトリガされた場合に、第１の手段は、電源切断状態に入ることを許可されるという条件を含んでもよい。１つ以上の予め規定されている条件の第２のセットは、第２の手段からサービスを受信している複数のＵＥのうちの一部が弱い信号を報告する場合に、第１の手段は、電源投入状態に入るように要求されるという条件を含んでもよい。１つ以上の予め規定されている条件の第２のセットは、第２の手段からサービスを受信している特定のＵＥが、第２のＲＡＴによりサポートされていないが、第１のＲＡＴによってはサポートされている、サービスの品質またはアプリケーションを要求する場合に、第１の手段は、電源投入状態に入ることを要求されるという条件を含んでもよい。１つ以上の予め規定されている条件の第２のセットは、第２のＲＡＴを使用する第２の手段の負荷を含む負荷がしきい値負荷を超えた場合に、第１の手段は、電源投入状態に入るように要求されるという条件を含んでもよい。１つ以上の予め規定されている条件の第２のセットは、電源切断状態を出るためのタイマがトリガされた場合に、第１の手段は、電源投入状態に入ることを許可されるという条件を含んでもよい。第１のＲＡＴは４Ｇ ＲＡＴであってもよく、第２のＲＡＴは３Ｇ ＲＡＴであってもよい。
【００１５】
第１の手段が電源投入状態であるときに、第１の手段を使用する、複数のＵＥのうちの少なくとも１つのＵＥを第２の手段から移行する第３の手段は、第２のＲＡＴよりも第１のＲＡＴを優先させるように複数のＵＥのうちの少なくとも一部に命令する情報を、複数のＵＥのうちの一部にブロードキャストする第４の手段を備えていてもよい。第１の手段が電源投入状態であるときに、第１の手段を使用する、複数のＵＥのうちの少なくとも１つのＵＥを第２の手段から移行する第３の手段は、複数のＵＥのうちの１つ以上のＵＥを、第２のＲＡＴを使用する第２の手段から第１のＲＡＴを使用する第１の手段に移すための、ＲＡＴ間のハンドオーバープロセスを実行する第４の手段を備えていてもよい。
【図面の簡単な説明】
【００１６】
【図１】図１は、複数のＵＥにセルラサービスを提供する、異なる無線技術を利用する２つのネットワークのセルを備える、システムの実施形態を図示している。
【図２Ａ】図２Ａは、オーバーレイネットワークのセルに対するカバレッジエリアの実施形態を図示している。
【図２Ｂ】図２Ａは、アンダーレイネットワークのセルに対するカバレッジエリアの実施形態を図示している。
【図３】図３は、複数のＵＥにワイヤレスサービスを提供する、ＵＭＴＳネットワークのセルと、ＬＴＥネットワークのセルとを備える、システムの実施形態を図示している。
【図４】図４は、４Ｇ専用サービスが要求されない限り、ＵＥに３Ｇネットワークを利用させるための方法の実施形態を図示している。
【図５】図５は、ＬＴＥセルが電源切断状態に入るための方法の実施形態を図示している。
【図６Ａ】図６Ａは、ＵＭＴＳセルの無線ネットワーク制御装置により送られる要求に基づいて、ＬＴＥセルが電源投入状態に入るための方法の実施形態を図示している。
【図６Ｂ】図６Ｂは、ＵＭＴＳセルの無線ネットワーク制御装置により送られる要求に基づいて、ＬＴＥセルが電源投入状態に入るための方法の実施形態を図示している。
【図７Ａ】図７Ａは、４Ｇサービスに対するＵＥ開始要求に基づいて、ＬＴＥセルが電源投入状態に入るための方法の実施形態を図示している。
【図７Ｂ】図７Ｂは、４Ｇサービスに対するＵＥ開始要求に基づいて、ＬＴＥセルが電源投入状態に入るための方法の実施形態を図示している。
【図８】図８は、ＵＭＴＳネットワークのＳＧＳＮに、ＬＴＥセルが電源投入状態に入るべきであることを決定させるための方法の実施形態を図示している。
【図９】図９は、３ＧネットワークのＳＧＳＮに、ＬＴＥセルが電源投入状態に入るべきであることを決定させるための方法の別の実施形態を図示している。
【図１０】図１０は、コンピュータシステムの実施形態を図示している。
【詳細な説明】
【００１７】
いくつかの地理的エリアでは、４Ｇネットワークを含む複数のネットワークが存在する。例えば、３Ｇネットワークもしくは２Ｇネットワーク、および、４Ｇネットワークの双方は、特定の地理的エリアにおいてワイヤレスにアクセス可能である。このような例では、３Ｇ／２Ｇネットワークは広いカバレッジを提供できる一方で、４Ｇカバレッジは、３Ｇ／２Ｇカバレッジの一部内に散在して配置されていることから、４Ｇネットワークは、オーバーレイネットワークと呼ばれることがあり、３Ｇまたは２Ｇネットワークは、アンダーレイネットワークと呼ばれることがある。ビデオチャットまたはゲームのような、いくつかのサービスは、４Ｇネットワークを介してのみ利用可能である一方、他のサービスは、４Ｇを下回るサービスレベルを使用して十分に実行できる。例えば、テキストメッセージ、電話通話、またはウェブブラウジングは、３Ｇまたは２Ｇネットワークを使用して十分に取り扱うことができる。
【００１８】
ＵＥのユニットが、３Ｇおよび４Ｇ、あるいは、２Ｇ、３Ｇ、および４Ｇのような、異なる無線技術を利用する複数のネットワークを使用することができる場合、ＵＥのユニットは、ＵＥが要求しているサービスが４Ｇネットワークの使用を必要としないときに、３Ｇまたは２Ｇモードのいずれかで機能するように、ＵＥが通信しているセルにより命令されるかもしれない。４Ｇ専用のサービスが要求されていないときに、より低いサービスレベルでＵＥを機能させることにより、４Ｇネットワークの４Ｇセルは、すべてのＵＥに対してサービスを提供しなくてもよい。このようなシチュエーションでは、４Ｇネットワークのセルは、電源切断状態に入ることができる。電源切断状態では、４Ｇネットワークのセルは、ＵＥと通信しておらず、または、散発的にのみＵＥと通信する。この電源切断状態では、４Ｇネットワークのセルは、４Ｇネットワークのセルが電源投入状態であるときよりも少ない電力を消費する。電源切断状態は、セルにより消費される電力がないことを意味しないかもしれない。むしろ、セルが電源投入状態にあるときよりも少ない電力がセルにより消費されている。さらに、電源切断状態では、４Ｇセルは、断続的な送信モードのように、散発的にデータを送受信してもよい。
【００１９】
単に例として、４Ｇネットワークの４Ｇセルが、３Ｇネットワークの３Ｇセルのカバレッジエリアにオーバーラップしているカバレッジエリアとともに動作する状況を考える。３Ｇおよび４Ｇセルが、商業地域に位置付けられている場合に、就業日の間は、各ネットワークが著しく使用される可能性がある。しかしながら、深夜および／または週末のような、オフピーク時間の間には、利用があるとしても、４Ｇ専用サービス（４Ｇネットワークにより、好ましくはまたは排他的に提供されるサービス）の利用は少ししかない。それにもかかわらず、４Ｇネットワークの４Ｇセルは、どのＵＥにもサービスを提供しない間、または、ＵＥのうちの非常に少ないユニットに対してサービスを提供する間、電源投入されており、送信し、したがって、著しい電力を消費している可能性がある。このように、電力を節約するために、４Ｇセルは、さまざまな条件（例えば、時間帯、曜日、サービスが提供されているＵＥのユニットの数）に基づいて、電源切断状態に入り、電力を節約できる。４ＧセルにアクセスするだろうＵＥは、代わりに、４Ｇ専用サービス以外のすべてのサービスに対して、３Ｇネットワークの３Ｇセルにアクセスできる。
【００２０】
４Ｇセルが電源切断状態である場合に、サービスは、同一の地理的エリアにおけるカバレッジを提供する３Ｇ（または、２Ｇ）セルを介してＵＥに提供される。要求するＵＥにカバレッジを提供するであろう４Ｇネットワークの４Ｇセルが電源切断状態である間に、ＵＥが４Ｇ専用サービスを要求する場合に、４Ｇ専用サービスに対する要求は、エリア中でカバレッジを提供する３Ｇセルに送信される。３Ｇセルは、要求された４Ｇ専用サービスがＵＥに提供されるように、３Ｇおよび４Ｇネットワークを介して、電源投入状態に入るように４Ｇセルに要求する要求を４Ｇセルに送る。４Ｇセルにより実行される評価に基づいて、４Ｇセルは、要求されたサービスを提供するために、電源投入するかもしれず、または、電源投入しないかもしれない。例えば、４Ｇセルは、特定の時間帯に要求が受信された場合にのみ電源投入してもよい。
【００２１】
別の例では、４Ｇネットワークは、３Ｇ／２Ｇネットワーク上で提供されるものに類似するサービスをＵＥに提供できる。このような例では、４Ｇネットワークは典型的に、より多くのＵＥをサポートするための追加のネットワークキャパシティを提供するように配備されている。この追加のキャパシティが必要とされない（例えば、４Ｇセル上のネットワーク負荷が指定されているしきい値を下回る）ときに、以前に４Ｇセル上で担当されていた何らかのＵＥが、３Ｇ／２Ｇセルに移行される間、４Ｇセルは電源切断することができる。
【００２２】
４Ｇセルは、予め規定されている条件に基づいて、電源切断状態に入ることを決定してもよい。例えば、電源切断状態に入る決定は、４Ｇセル上のネットワーク負荷、時間帯、曜日、および／または、４Ｇ専用のサービスを利用するＵＥの数に基づくことができる。電源切断状態に入る前に、４Ｇセルは、現在４Ｇセルからサービスを受信しているＵＥにサービスを提供するための著しいキャパシティを４Ｇセルが有するオーバーラップしている地理的エリアにカバレッジを提供するアンダーレイセルを確認できる。４Ｇセルは、４ＧセルがもはやいずれのＵＥにもサービスを提供せず、電源切断状態に入るために、ＵＥを３Ｇまたは２Ｇセルにハンドオフする。
【００２３】
（４Ｇのような）特定のオーバーレイ無線アクセス技術を使用するセルを電源切断し、ＵＥが（３Ｇまたは２Ｇのような）別の無線アクセス技術を使用することになる構成は、（“ＲＡＴ”とも呼ばれる）オーバーレイ無線アクセス技術に対する電力セービングになり得る。４Ｇセルを絶えず電源投入状態で動作させないことにより、電力をセーブする。ＵＥレベルにおいて、ＵＥが、通信に対して異なるＲＡＴを使用してセルと通信することによっても電力をセーブしてもよい。さらに、より広い地理的エリアにわたってカバレッジを提供するＲＡＴを使用するセルに対して、ＵＥをデフォルトにすることにより、より少ない数の関係するＲＡＴ（無線アクセス技術）間の測定とともに、異なるＲＡＴのオーバーラップしているセル間でのより少ない“ピンポン”を予期できる。
【００２４】
オーバーレイセルにより使用されるＲＡＴのサービスレベルは、より高いサービスレベルである可能性があり、より高いサービスレベルは、より速いデータ送信レート、より短い待ち時間、または、アンダーレイネットワークにより使用されるＲＡＴのより低いサービスレベルより優れているとみなされる他の特徴を提供するサービスのことを指す。例として、４Ｇは、３Ｇサービスレベルまたは２Ｇサービスレベルと比較してより高いサービスレベルであると考えられる。同様に、３Ｇサービスレベルは、２Ｇより高いサービスレベルであると考えられてもよい。２Ｇ、３Ｇ、または４Ｇサービスレベルと比較してより高いサービスレベルである５Ｇネットワークのような、将来の配置されるセルラネットワークにおいて、類似する相違が生じてもよい。他の機会において、オーバーレイセルにより使用されるＲＡＴのサービスレベルは、アンダーレイＲＡＴにより提供されるサービスレベルに類似している。しかしながら、オーバーレイＲＡＴは、より多くのＵＥをサポートするために追加のネットワークキャパシティを提供する。
【００２５】
上述したものは、４Ｇセルが、２Ｇまた３Ｇセルにオーバーレイする状況に関するが、これは単なる例として意味している。より一般的には、ここに記述する実施形態は、オーバーラップしているカバレッジエリアに他のワイヤレスネットワークを提供する、他の形態のワイヤレスネットワークに適用させることができる。例えば、３Ｇセルは２Ｇセルにオーバーレイしてもよい。セルラネットワークではないワイヤレスネットワークもまた、利用可能であってもよい。
【００２６】
図１は、ＵＥにサービスを提供する、異なる無線アクセス技術（ＲＡＴ）を利用する２つの異なるネットワークに属する２つ以上のセルを備える、システム１００の実施形態を図示している。システム１００では、第１のネットワーク１０５および第２のネットワーク１２５が存在する。ネットワーク１０５は、第１のコアネットワーク１１０と、エンティティ１３０と、基地局１４０とを備えていてもよい。第２のネットワーク１２５は、第２のコアネットワーク１２０と、ＲＡＮエンティティ１６０と、基地局１７０とを備えていてもよい。コアネットワーク１０５は、ＵＭＴＳ（ユニバーサルモバイルテレコミュニケーションシステム）ネットワークのような、２Ｇまたは３Ｇネットワークを表すことができる。第１のネットワークは、ＵＭＴＳ、ＧＳＭネットワーク、または、（ＣＤＭＡ２０００ １Ｘとも呼ばれる）ＣＤＭＡ（コード分割多元接続）１ｘＲＴＴネットワークであってもよい。ＬＴＥ、ＵＭＴＳ、およびＧＳＭネットワークに関するいくつかの特徴および手順は、“第３世代パートナーズシッププロジェクト”（３ＧＰＰ）からの文書中に記載されている一方、ＣＤＭＡ２０００ １Ｘネットワークは、“第３世代パートナーズシッププロジェクト２”（３ＧＰＰ２）からの文書中に記載されている。システム１００では、第１のネットワーク１０５はアンダーレイネットワークであり、オーバーレイネットワーク１２５中の第２のセルが電源切断されるときに、第１のネットワーク１０５がワイヤレスサービスを提供することを意味する。第１のコアネットワーク１１０は、無線アクセスネットワーク（ＲＡＮ）と通信している。例えば、ＵＭＴＳネットワーク中では、ＲＡＴは、一般的に、ＵＭＴＳ地上ＲＡＮ（ＵＴＲＡＮ）として知られている一方で、ＧＳＭネットワークに対しては、ＲＡＮは、ＧＳＭ ＥＤＧＥ ＲＡＮ（ＧＥＲＡＮ）と呼ばれる。ＲＡＮは、ＲＡＮエンティティ１３０と基地局１４０とを備える。ＲＡＮエンティティ１３０は、第１のネットワーク１０５がＵＭＴＳネットワークである場合に、無線ネットワーク制御装置（ＲＮＣ）を備え、無線ネットワーク制御装置（ＲＮＣ）は、基地局１４０（１つ以上の基地局を表してもよい）を調整して、第１のコアネットワーク１１０と基地局１４０との間のインターフェースとして機能する。ＵＭＴＳネットワークでは、基地局１４０は、一般的に、１つ以上のセルを構成するノードＢとして知られており、基地局１４０およびＲＡＮエンティティ１３０は、集合的に、ＵＴＲＡＮの一部と呼ぶことができる。第１のコアネットワーク１１０は、パケット交換および回線交換情報を取り扱うことができる。例えば、ＵＭＴＳネットワークでは、第１のコアネットワーク１１０は、パケット交換アプリケーションのための、担当ＧＰＲＳサポートノード（ＳＧＳＮ）およびゲートウェイＧＰＲＳサポートノード（ＧＧＳＮ）を備え、回線交換アプリケーションのための、移動体交換センターおよびゲートウェイ移動体交換センター（ＧＭＳＣ）を備える。ＲＡＮネットワークと通信しているように、第１のコアネットワーク１１０が図示されているが、第１のコアネットワーク１１０は、１つ以上の基地局に属する複数のセルと通信してい��。簡略化のために、基地局１４０のみを図示している。さらに、基地局１４０のみと接続されているように、ＲＡＮエンティティ１３０が図示されているが、エンティティ１３０は、複数の基地局（例えば、複数のノードＢ）と通信できる。ＵＥ１５０、マルチモードのＵＥは、４Ｇネットワークおよび３Ｇネットワークのような、異なる無線アクセス技術を利用する複数のネットワークと通信できる。
【００２７】
第２のネットワーク１２５は、第２のコアネットワーク１２０と、ＲＡＮエンティティ１６０および基地局１７０で構成されているＲＡＮとを備える。第２のネットワーク１２５がＬＴＥネットワークを表す場合に、ＲＡＮは、一般的に、ＥＵＴＲＡＮ（進化ＵＭＴＳ地上無線アクセスネットワーク）として知られている。ＬＴＥは、４Ｇよりむしろ、“３Ｇ移行”無線技術と呼ばれることがある。しかしながら、簡略化のために、ＬＴＥはここでは４Ｇ無線技術と呼ぶ。第２のネットワーク１２５はオーバーレイネットワークであり、これは、第２のネットワークのセルが電源切断状態であるときに、アンダーレイネットワークのセルが、同一の地理的領域中でワイヤレスサービスを提供することを意味する。基地局１７０とＲＡＮエンティティ１６０とに属するセルは、第２のコアネットワーク１２０と通信している。ＬＴＥでは、第２のコアネットワーク１２０は、モビリティ管理エンティティ（ＭＭＥ）、担当ゲートウェイ（Ｓ−ＧＷ）、ＰＤＮゲートウェイ（ＰＤＮ−ＧＷ）等のような、ネットワークエレメントからなる進化パケットコア（ＥＰＣ）として知られていてもよい。ＲＡＮエンティティ１６０は、基地局１７０を調整する。ＬＴＥでは、基地局およびＲＡＮエンティティは、典型的に、ｅノードＢと呼ばれる１つのエンティティに組み合わせられて、ＥＵＴＲＡＮの機能を実現する。一般的に、ＲＡＮエンティティ１６０は、第２のコアネットワーク１２０とＵＥ１８０との間のインターフェースとして機能する。ＵＥ１８０は、基地局１７０とのワイヤレス通信を介して、ＲＡＮエンティティ１６０と通信している。いくつかの構成では、基地局１４０および基地局１７０は一緒に配置されている。ＵＥ１８０により要求されるサービスは、第２のネットワークに特有であることから、ＵＥ１８０は、ＲＡＮエンティティ１６０と通信できる。４Ｇ専用のサービスは、４Ｇセルおよび４Ｇネットワークを介してのみ提供できるサービス、または、好ましくは４Ｇセルおよび４Ｇネットワークを介して提供されるサービスのことを指す。代替的に、より多くのＵＥをサポートする追加のネットワークキャパシティを提供するために、第２のネットワークが配置されていることから、ＵＥ１８０は、第１のネットワークにより提供されるサービスに類似するサービスを第２のネットワーク上で受信するＲＡＮエンティティ１６０と通信できる。ＵＥ１８０は、３Ｇおよび４Ｇネットワークのような異なる無線技術を利用する複数のネットワークを介して、通信することができてもよい。ＵＥ１８０−１のようなＵＥが、第１のネットワーク１０５により提供することができるサービスを要求する場合に、ＵＥ１８０−１は、ＲＡＮエンティティ１６０を通して通信することを中止でき、ＲＡＮエンティティ１３０を通して通信できる。同様に、第１のネットワーク１０５が、オーバーロードコンディションを経験している場合に、ＵＥ１５０−１は、ＲＡＮエンティティ１３０を通して通信することを中止でき、ＲＡＮエンティティ１６０を通して通信できる。
【００２８】
第１のコアネットワーク１１０および第２のコアネットワーク１２０は、典型的に、互いに通信しており、これにより、ＲＡＮエンティティ１６０およびＲＡＮエンティティ１３０が通信できるようになる。例えば、基地局１７０に属するセルが電源切断状態に入ろうとする場合に、ＲＡＮエンティティ１６０は、第２のコアネットワーク１２０および第１のコアネットワーク１１０を介して、ＲＡＮエンティティ１３０（可能性としては、他の隣接するＲＡＮエンティティ）に通知を送る。ＲＡＮエンティティ１３０は、第１のコアネットワーク１１０および第２のコアネットワーク１２０を介して応答し、ＲＡＮエンティティ１３０により調整される基地局１４０に属するセルが、ＵＥ１８０のような、より多くのＵＥからの追加の負荷を取り扱うことができるか否かを示すことができる。第１のネットワーク１０５および第２のネットワーク１２５は、異なる無線技術を利用する別々のネットワークであるが、双方のネットワークは、同一のワイヤレスサービスプロバイダにより動作させることができる。
【００２９】
図２Ａは、異なるネットワークのセルに対するカバレッジエリアの例を図示している。典型的に、４Ｇセルは、３Ｇまたは２Ｇセルよりも小さい地理的エリアに対してセルラカバレッジを提供する。例２００Ａは、３Ｇまたは２Ｇネットワークに対する基地局が、４Ｇネットワークの基地局と同一の位置２３０または類似する位置に位置付けられている構成を表している。エリア２１０は、図１の第２のネットワーク１２５のような、４Ｇネットワークにより提供されるカバレッジの地理的エリアを表している。エリア２１０を含むエリア２２０は、図１の第１のネットワーク１０５のセルのような３Ｇセルにより提供されるカバレッジの地理的エリアを表している。このような構成では、２Ｇ／３Ｇネットワークは、アンダーレイネットワークとして機能し、４Ｇネットワークは、オーバーレイネットワークとして機能する。それゆえ、３Ｇ／２Ｇネットワークに対する地理的カバレッジエリアはより大きいことから、４Ｇおよび２Ｇ／３Ｇのカバレッジの双方が利用可能であるエリアに、または、２Ｇ／３Ｇカバレッジのみが利用可能であるエリアに、ＵＥを位置付けることができる。
【００３０】
図２Ｂは、異なる無線技術を利用する異なるネットワークのセルに対するカバレッジエリアの別の例２００Ｂを図示している。一緒に配置されている、３Ｇ／２Ｇ基地局および４Ｇ基地局の代わりに、より大きな２Ｇ／３Ｇカバレッジエリア内に４Ｇのさまざまな“ホットスポット”が配置されている。２Ｇ／３Ｇ基地局２４０は、２Ｇ／３Ｇカバレッジエリア２５０を提供する。カバレッジエリア２５０内に、２つの４Ｇホットスポットが存在する。４Ｇ基地局２６０はカバレッジエリア２７０を有し、４Ｇ基地局２８０はカバレッジエリア２９０を有する。他の構成では、２Ｇ／３Ｇカバレッジエリア２５０内により多くの４Ｇホットスポットが存在することができる。ここでは再び、２Ｇ／３Ｇネットワークは、アンダーレイネットワークとして機能し、４Ｇネットワークは、オーバーレイネットワークとして機能する。後続する方法において、２００Ａまたは２００Ｂに類似する構成が存在し、これは、４Ｇカバレッジが、ＵＥに対して、オーバーレイネットワークを介して利用可能である場合に、３Ｇまたは２Ｇのいずれかのアンダーレイネットワークは、同一の地理的位置においてＵＥにカバレッジを提供することを意味する。
【００３１】
図３は、ＵＥにサービスを提供する、ＵＭＴＳネットワーク中のセルと、ＬＴＥネットワーク中のセルとを備える、システム３００の実施形態を図示している。ＬＴＥネットワークは、オーバーレイネットワークとして機能し、ＵＭＴＳネットワークは、アンダーレイネットワークとして機能している。ＵＥ３１０は、図１のＵＥ１５０および１８０を表している。ＵＥ３１０は、ＵＭＴＳおよびＬＴＥネットワークの双方において、セルと通信することができる。ＵＥ３１０は、（ノードＢとのワイヤレス接続を通して；簡略化のために、ノードＢは図３中に示されていない）無線ネットワーク制御装置３２０と通信するか、または、ｅノードＢ３３０へのワイヤレス接続を通して無線ネットワーク制御装置３２０と通信する。ＵＥ３１０から受信されるデータは、無線ネットワーク制御装置３２０を通して、ＵＭＴＳコアネットワーク３４０に転送され、同様に、ＵＥ３１０に対して、ＵＭＴＳコアネットワークから受信されるデータは、無線ネットワーク制御装置３２０を通して転送できる。無線ネットワーク制御装置３２０は、図１の第１のＲＡＮエンティティ１３０を表すことができる。無線ネットワーク制御装置３２０がＵＭＴＳコアネットワーク３４０と通信するときに、無線ネットワーク制御装置３２０は、ＳＧＳＮ（担当ＧＰＲＳ（汎用パケット無線サービス）サポートノード）３４２と直接通信する。ＵＭＴＳコアネットワーク３４０は、複数のＳＧＳＮを含む。無線ネットワーク制御装置３２０と通信するＳＧＳＮのみが図示されている。ＳＧＳＮ３４２は、指定されている地理的エリア内の１つ以上の無線ネットワーク制御装置と通信する。ＳＧＳＮは、パケット交換データを、無線ネットワーク制御装置からＧＧＳＮ（ゲートウェイＧＰＲＳサポートノード）３４４へ、または、ＧＧＳＮから無線ネットワーク制御装置へルーティングする。ＧＧＳＮ３４４は、インターネットおよび／または他の公共もしくはプライベートのデータネットワークのような、外部ネットワークとのインターフェースとして機能する。
【００３２】
ＵＥ３１０はｅノードＢ３３０と通信し、ｅノードＢ３３０は、ＬＴＥコアネットワーク３５０に接続されている。ＬＴＥコアネットワーク３５０は、Ｓ−ゲートウェイ３５２およびＰ−ゲートウェイ３５４を備える。Ｓ−ゲートウェイ３５２は、指定されている地理的エリア内で、ｅノードＢ３３０とＰ−ゲートウェイ３５４との間でパケット交換データを通信する。Ｐ−ゲートウェイ３５４は、インターネットおよび／または他の公共もしくはプライベートのデータネットワークのような、外部ネットワークとのインターフェースとして機能する。ｅノードＢ３３０は、図１の第２のＲＡＮエンティティ１６０と基地局１７０との組み合わせを表すことができる。ちょうどよい例において、マルチモードＵＥ３１０は、無線ネットワーク制御装置３２０か、または、ｅノードＢ３３０のいずれかと通信できる。ｅノードＢ３３０が、無線ネットワーク制御装置３２０にメッセージを送る場合に、メッセージはＬＴＥコアネットワーク３５０に送られ、ＬＴＥコアネットワーク３５０は、ＵＭＴＳコアネットワーク３４０にメッセージを送る。ＵＭＴＳコアネットワーク３４０は、その後、メッセージを無線ネットワーク制御装置３２０にルーティングする。無線ネットワーク制御装置３２０からｅノードＢ３３０への通信も、反対のルートを介して可能である。いくつかの構成では、ｅノードＢ３３０と無線ネットワーク制御装置３２０との間の通信は、メッセージを転送するのに（３ＧＰＰ標準規格により規定されている）ＲＡＮ情報管理（ＲＩＭ）プロトコルを使用することにより達成される。このプロトコルにより、メッセージのコンテンツを解釈する、ネットワーク（例えば、ＵＭＴＳおよびＬＴＥコアネットワーク）中の中継ノードなしで、ネットワーク中のＲＡＮエンティティ（例えば、無線ネットワーク制御装置）から、異なるＲＡＴの別のネットワーク中の別のＲＡＮエンティティ（例えば、ｅノードＢ）に、メッセージを透明に転送できるようにしてもよい。ＲＩＭは、異なるＲＡＴを持つ異なるネットワーク中の任意の２つのＲＡＮエンティティ間で、新たなメッセージが規定および通信されるときに、これらのメッセージをサポートするのに、コアネットワークをアップグレードする必要を確実に無くすことができる。いくつかの他の構成では、無線ネットワーク制御装置３２０およびｅノードＢ３３０は、代替的なパスを介して（直接に）通信でき、それにより、ＵＭＴＳコアネットワーク３４０およびＬＴＥコアネットワーク３５０を介してメッセージをルーティングすることを回避する。
【００３３】
３Ｇおよび４Ｇネットワークは、異なる無線技術を利用するネットワークを表す。例えば、ＵＭＴＳネットワーク中でのワイヤレス通信は、直交コードシーケンスを使用して、同一の帯域内で送信するＵＥを分離する、ワイドコード分割多元接続（ＷＣＤＭＡ）技術と呼ばれる無線アクセス技術に基づいている。その一方で、ＬＴＥエアインターフェースは、同一の帯域中で送信するＵＥが、時間および周波数リソースにより分離される直行周波数分割多元接続（ＯＦＤＭＡ）を使用する。これらの無線技術には、一般的に、互換性がない。例えば、無線ネットワーク制御装置３２０（関係するノードＢ）と通信し、その後、ｅノードＢポイント３３０と通信するために、異なるプロトコルおよび／または周波数が必要とされ、使用される。同様に、ＵＭＴＳコアネットワークおよびＬＴＥコアネットワークの手順は、これらのコアネットワークのフレームワークは非常に類似しているにもかかわらず、異なる。図３は、３Ｇおよび４Ｇネットワークと通信するＵＥ３１０を図示しているが、他の構成では、ＵＥ３１０は、ＧＳＭまたは１Ｘ ＲＴＴ／ＣＤＭＡ２０００ １Ｘのような、２Ｇ技術のような他の技術を使用して通信できる。
【００３４】
図４は、第２のサービスレベル専用のサービスが要求されない限り、ＵＥに第１のサービスレベルネットワークを利用させるための方法４００の実施形態を図示している。方法４００は、図２Ａおよび２Ｂのオーバーラップしているカバレッジエリア中のような、（２Ｇまたは３Ｇのような）第１のサービスレベルおよび（４Ｇのような）第２のサービスレベルが利用可能な地理的エリアにおいて実行される。ステージ４１０において、ＵＥは、第１のセルにより、第１のサービスレベルでサービスを提供されている。このサービスレベルは、２Ｇまたは３Ｇサービスレベルであり、２Ｇまたは３Ｇサービスを提供する１つ以上のセルを介して提供される。これらのセルは、（２Ｇネットワーク中の）基地局制御装置、または、図３の無線ネットワーク制御装置３２０のような（３Ｇネットワーク中の）無線ネットワーク制御装置により調整される。これらのサービスレベルは、４Ｇサービスレベルのような第２のサービスレベルより低いレベルのサービス（例えば、より低い送信レートで、より長い待ち時間）を表す。
【００３５】
ステージ４２０において、ＵＥが、好ましくは第２のサービスレベルで提供される、ビデオチャットのようなサービスを要求する場合に、第２のセルにより第２のサービスレベルでＵＥにサービスを提供できる。ＵＥが第２のサービスレベルのサービスを利用する限り、第２のサービスレベルを提供するセルを介して、ＵＥにサービスを提供し続けてもよい。いったん第２のサービスレベルが必要ではなくなると、第１のセルにより提供される第１のサービスレベルに切り換えて戻るようにＵＥに命令できる。予め規定されている条件を評価して、ＵＥが第２のサービスレベルにより提供されるべきか否かを決定することができる。例えば、第２のサービスレベルは、特定の時間帯または特定の曜日にのみ利用可能であるかもしれない。
【００３６】
方法４００は、ＵＥが、２Ｇ／３Ｇサービス、または、４Ｇサービスにより提供されるときの簡略化された方法を提供する。以下の方法は、ＬＴＥセルが電源切断状態に入り、電源切断状態を出る際のより詳細な状況において記述する。これらのトリガのうちのいくつかは、負荷、時間、カバレッジの最適化、ＵＥが要求するサービスのレベルを含む。
【００３７】
図５は、４Ｇセルが電源切断状態に入るための方法５００の実施形態を図示している。方法５００は、図１のＵＥ１５０および１８０や、図３のＵＥ３１０のような、ＵＥと、図１のＲＡＮエンティティ１３０や、図３の無線ネットワーク制御装置３２０のような、無線ネットワーク制御装置と、図１のＲＡＮエンティティ１６０と基地局１７０との組み合わせや、図３のｅノードＢ３３０のような、ｅノードＢと、図１の第１のコアネットワーク１１０や、図３のＵＭＴＳコアネットワーク３４０のような、ＵＭＴＳコアネットワークと、図１の第２のコアネットワーク１２０や、図３のＬＴＥコアネットワーク３５０のような、ＬＴＥコアネットワークとの間で交換される情報を示す、スイムダイヤグラムとして図示されている。
【００３８】
ステージ５０５において、ｅノードＢは、予め規定されている条件に基づいて、電源切断状態に入ることを決定する。いくつかの構成において、電源切断状態は、ｅノードＢの基地局部における無線周波数（ＲＦ）コンポーネントを電源オフすること、または、それらのコンポーネントを低電力状態にすることを指す。いくつかの構成では、ｅノードＢは、完全に電源切断してもよく、あるいは、ｅノードＢコンポーネントのうちのさまざまなコンポーネントは、部分的にもしくは完全に電源オフされ、または、低電力状態に保たれる。低電力状態は、ｅノードＢ中の送信機および受信機コンポーネントが、それぞれ周期的に電源オフされる、断続的送信（ＤＴＸ）および断続的受信（ＤＲＸ）モードに入ることを含んでもよい。ｅノードＢが電源切断状態に入るその決定の基となる予め規定されている条件は、時間ベースのトリガ（例えば、特定の、時間帯、曜日および／または日付）を含んでもよく、予め構成されている時間期間は、拡張された時間期間にわたりネットワークから収集された統計的なトラフィック情報から取得できる。電源オフするようにｅノードＢをトリガする可能性がある予め規定されている条件の別の例は、ｅノードＢの負荷に基づく負荷トリガである（例えば、特定のセルまたはセルのグループが、予め構成されている負荷しきい値を下回る負荷を経験する場合に、セルは、低い負荷がかかっており、したがって、電源オフできると考えられる）。また先に論じたように、ＵＥにより要求されるサービスをＵＭＴＳネットワークにより提供できる場合に、ｅノードＢを電源オフできる。いくつかの構成では、ｅノードＢを電源オフする決定は、ｅノードＢによって起こる干渉のために、他のＲＡＮエンティティから受信される要求による。予め規定されている条件にしたがって、ｅノードＢが電源切断状態に入ることを決定する場合に、ｅノードＢにアクセスするように構成されており、現在アクセスしているＵＥは、無線ネットワーク制御装置を介して、ノードＢを通して、ＵＭＴＳネットワークにアクセスするように指示される。少なくとも２つのモード、アクティブモードおよびアイドルモードにおいて、ＵＥは機能する。アクティブモードは、ＵＥが、基地局またはｅノードＢと継続的に情報を交換するモードのことを指す。例えば、アクティブモードでは、消費者は、電話通話の実施、テキストメッセージの送信または受信、インターネットサーフィン、あるいは音楽のストリーミングのような、アクションを実行しているかもしれない。アイドルモードでは、ＵＥは電源オンされており、信号を受信するかもしれないが、ＵＥは、基地局、ノードＢまたはｅノードＢに現在情報を送信していない。アイドルモードのＵＥの例は、電源投入されているが、消費者のポケットの中で使用されずにいるＵＥを含む。
【００３９】
ステージ５１０において、ＲＡＴ（無線アクセス技術）間のハンドオーバーは、ｅノードＢにより、アクティブモードの１つ以上のＵＥを無線ネットワーク制御装置にハンドオーバーするために実行される。ＵＥを１つのＲＡＴから別のＲＡＴに移す際に使用できる他の手順は、セルリダイレクションおよび無線リソース制御（ＲＲＣ）リリース手順である。ＬＴＥおよびＵＭＴＳネットワーク間における、これらの手順およびＲＡＴ間のハンドオーバー手順は、３ＧＰＰ標準規格中に十分に記載されており、それにより、本出願中ではこれらを詳細には記述しない。
【００４０】
ステージ５１５において、ＬＴＥネットワークの代わりにＵＭＴＳネットワークをデフォルトネットワークとして使用するように、アイドルモードのＵＥに命令するメッセージが、ｅノードＢにより、これらのＵＥにブロードキャストされる。いくつかの構成では、電源切断状態に入る前に、メッセージは、ＬＴＥセルが電源切断状態に入っており、ＵＭＴＳセルが優先されていることを表すために、修正された、マスター情報ブロック（ＭＩＢ）および／またはシステム情報ブロック（ＳＩＢ）を含む。加えて、この修正されたＭＩＢおよびＳＩＢは、ｅノードＢの、電力ステータスおよび送信スケジュール（例えば、ＤＴＸ／ＤＲＸスケジュール）についての情報を含んでもよい。典型的に、ＵＭＴＳおよびＬＴＥネットワーク中で、スケジュール、現在のセル、他のセル情報のような、情報をＵＥにブロードキャストするために、ＭＩＢおよびＳＩＢを使用する。ステージ５１５において論じたブロードキャストされるメッセージは、ＭＩＢおよびＳＩＢ中で運ばれるだろう。
【００４１】
ステージ５２０において、これらの命令は、アイドルモードのＵＥにより受信される。いくつかの構成では、メッセージは、ステージ５１５においてブロードキャストされない。むしろ、ｅノードＢを含むセルが電源切断状態に入るときに、アイドルモードのＵＥは、それらがもはやｅノードＢと通信できないことから、ＵＭＴＳネットワークにスイッチする。いくつかの構成では、電源投入状態から電源切断状態に直ちにスイッチする代わりに、ｅノードＢの送信電力を、電源切断状態に到達するまで徐々に減少させる。これにより、（いくつかのＵＥは、他のものよりも４Ｇセルに近いことを予期され、通信リンクを維持するために、ＬＴＥｅノードＢからのより少ない電力を必要とするだろうことから）ＵＥは、ＬＴＥセルとの通信を異なる時間に中止させ、それゆえ、潜在的に大多数のＵＥをＵＭＴＳネットワークに一度に移行する代わりに、異なる時間にＵＭＴＳセルに移行する。
【００４２】
ステージ５２２において、ｅノードＢアクセスノードは、ｅノードＢが電源切断状態に入ることを示す“オフ”通知を、１つ以上の隣接するネットワークエンティティに送信する。この通知は、ＬＴＥコアネットワークにより受信され（ステージ５２５）、ＵＭＴＳコアネットワークに送信され（ステージ５３０）、ＵＭＴＳコアネットワークにより受信される（ステージ５３５）。ＵＭＴＳコアネットワークは、ＬＴＥセルと同一の地理的エリアにカバレッジを提供する３Ｇセルの無線ネットワーク制御装置に通知を送信する（ステージ５４０）。ステージ５４５において、無線ネットワーク制御装置は“オフ”通知を受信する。ステージ５２２に続いて、ｅノードＢは、電源切断状態に入る。
【００４３】
いくつかの構成では、アクティブなＵＥのＲＡＴ間ハンドオーバーを実行して、無線ネットワーク制御装置に通知を送る前に、または、“オフ”通知を送る前に、アイドルのＵＥにブロードキャストする代わりに、無線ネットワーク制御装置とｅノードＢとの間でメッセージが交換される。メッセージ交換は、パラメータ、負荷情報、無線ネットワーク制御装置からの“オフ”要求の交換等を含む可能性がある。ｅノードＢは、そのセルの電源をオフするか否かを決定する際に、このようなパラメータを考慮してもよい。このメッセージ交換により、ｅノードＢは、無線ネットワーク制御装置が、ｅノードＢからの追加の負荷を取り扱うことができるか否かを決定できるようになる。もしできない場合は、ｅノードＢは、電源投入状態のままを保ってもよい。いくつかの構成では、“オフ”通知は、アクティブなＵＥのＲＡＴ間ハンドオーバーの前に、および、アイドルのＵＥへのブロードキャストの前に、ｅノードＢにより、無線ネットワーク制御装置に送信される。このように、通知は、ＵＥがＬＴＥセルからＵＭＴＳセルに移される前に、ｅノードＢから転送されるだろう、アクティブおよびアイドルモードのＵＥに対するリソースを準備する際の無線ネットワーク制御装置を支援できる。
【００４４】
方法５００は、電源切断状態に入るＬＴＥセルを詳細に説明しているが、図６Ａおよび６Ｂは、ＬＴＥセルが、ＵＭＴＳネットワークの無線ネットワーク制御装置からの要求に基づいて電源投入状態に入るための方法６００の実施形態を図示している。ＵＥ、無線ネットワーク制御装置、ｅノードＢ、ＵＭＴＳコアネットワークおよびＬＴＥコアネットワークは、方法５００のそれらと同一のコンポーネントを表している。ステージ６０２において、無線ネットワーク制御装置は、予め規定されている条件を使用して、ｅノードＢのＬＴＥセルに、電源投入状態に入り、サービスをＵＥに提供するように要求すべきか否かを決定する。無線ネットワーク制御装置が決定を行うために使用する予め規定されている条件は、ＵＥが４Ｇ専用サービスを要求している、無線ネットワーク制御装置によりサポートされているＵＭＴＳセル上の負荷がしきい値負荷を上回る（したがって、セルはオーバーロードしていると考えられる）、予め定められているスケジュールが、いつｅノードＢに電源投入を要求すべきかを無線ネットワーク制御装置に示している、および／または、カバレッジの最適化（つまり、いくつかのＵＥが、ＵＭＴＳセル上にある間、弱い信号強度を経験しており、それらのＵＥにより経験される信号強度を向上させるのを支援するために電源投入するようにＬＴＥセルに要求するだろう）のような条件を含めることができる。他の条件もまた可能である。
【００４５】
ステージ６０４において、無線ネットワーク制御装置は、“オン”要求メッセージを送信する。ＵＭＴＳコアネットワークは“オン”要求を受信し（ステージ６０６）、要求をＬＴＥコアネットワークに送信する（ステージ６０８）。ＬＴＥコアネットワークは、ステージ６１０において、オン要求を受信する。ＬＴＥコアネットワークは、無線ネットワーク制御装置により調整されている３Ｇセル上にオーバーレイしている電源切断されたＬＴＥセルを制御する“オン”要求を、ｅノードＢに送信する（ステージ６１２）。ステージ６１４において、ｅノードＢは、“オン”要求メッセージを受信する。ステージ６１６において、ｅノードＢアクセスポイントは、予め規定されている条件のセットを評価して、ｅノードＢアクセスポイントが、ＵＭＴＳセルの無線ネットワーク制御装置から受信した要求に応答して、電源投入状態に入るべきか否かを決定できる。これらの予め規定されている条件は、予め規定されているスケジュールのような条件を含めることができる。いくつかの構成では、ｅノードＢが電源オンする要求を受信した場合に、ｅノードＢは、予め規定されている条件のセットを評価せず、代わりに、ｅノードＢは、それ以上の評価なしで電源投入状態に入る。いくつかの構成では、特定の無線ネットワーク制御装置からの“オン”要求は受諾されるが、他の要求は受諾されない。ステージ６１８において、ｅノードＢは、ＬＴＥセルが電源投入状態に入るか否かを示す“オン”応答を送信する。“オン”応答は、ＬＴＥコアネットワークにより受信され（ステージ６２０）、ＬＴＥコアネットワークは、応答をＵＭＴＳコアネットワークに送信し（ステージ６２２）、ＵＭＴＳコアネットワークは応答を受信し（ステージ６２４）、“オン”応答を無線ネットワーク制御装置に送信する（ステージ６２６）。ステージ６２８において、無線ネットワーク制御装置は、ｅノードＢから“オン”応答を受信する。いくつかの構成では、ＬＴＥセルが現在電源オンされていることを示す“オン”通知メッセージが、ＬＴＥまたは他のネットワーク中の隣接するノードに送信されてもよい。
【００４６】
ステージ６３０において、無線ネットワーク制御装置により、測定制御メッセージがアクティブモードのＵＥに送信される。測定制御メッセージは、ステージ６３２において、アクティブなＵＥにより受信される。測定制御メッセージは、ｅノードＢから受信した電力の信号強度を測定することにより、ｅノードＢとの通信が可能か否かを決定するように、アクティブモードのＵＥに通知する。ステージ６３４おいて、アクティブモードのＵＥは、圧縮モードで機能する。圧縮モードでは、ＵＥは一時的にＬＴＥネットワークにスイッチし、ＬＴＥセル上での測定を実行し、ＵＭＴＳネットワークに戻って、ＵＭＴＳセルとの現在のデータ交換を継続する。ステージ６３６において、ＵＥは、圧縮モードの間にＵＥにより行われた測定の結果を示す測定報告を送信する。典型的に、ＬＴＥセル上で行われた測定が、ＵＥがＬＴＥセルから“強い”信号を受信すると示す場合に、ＵＥは、ＬＴＥセルにスイッチすることが許されるだろう。そうでなければ、ＵＥは、ＵＭＴＳセル上にとどまるように指示されるだろう。ステージ６３８において、ＵＭＴＳセルの無線ネットワーク制御装置により測定報告が受信される。
【００４７】
ステージ６４０において、無線ネットワーク制御装置が、ＵＥがＬＴＥセルにスイッチすることを許す場合に、ＵＥに対して、無線ネットワーク制御装置とｅノードＢとの間でＲＡＴ間ハンドオーバーが実行され、その後、ＵＥはＬＴＥセルにアクセスするように指示される。さらに、ＵＥをＵＭＴＳセルからＬＴＥセルに移す際に、セルリダイレクションおよびＲＲＣリリース手順も使用できる。これらの手順およびＲＡＴ間のハンドオーバープロセスは、３ＧＰＰ標準規格中に記載されており、それにより、本出願中では詳細には記述しない。ステージ６４２において、ＬＴＥセルに移るようにアイドルモードのＵＥに指示するために、ＵＭＴＳセルよりもＬＴＥセルが優先されていることを示すブロードキャストメッセージが無線ネットワーク制御装置により送信される。さらに、このブロードキャストメッセージは、修正されたＭＩＢまたはＳＩＢメッセージを使用して送ることができる。いくつかの構成では、このメッセージはｅノードＢにより送信される。例えば、いったん電源投入状態に入るというｅノードＢによる決定が完了し、ｅノードＢが電源投入状態に入ろうとすると（または既に入っていると）、ｅノードＢは、無線ネットワーク制御装置に関係する対応するＵＭＴＳセルに比べて、ｅノードＢのＬＴＥセルに優先権を与えられることを示すように、ＭＩＢおよび／またはＳＩＢを修正してもよい（ステージ６２１）。これにより、アイドルモードのＵＥのうちのいくつかは、ＵＭＴＳネットワークからＬＴＥネットワークに移ることができるようになるだろう。いくつかの構成では、ＵＭＴＳネットワーク上で提供されないサービスの品質（ＱｏＳ）を必要とするアプリケーションに対する、特定のＵＥによる要求のために、ＬＴＥセルが電源投入される場合に、特定のＵＥのみがＬＴＥネットワークに移ることができることから、ステージ６２１におけるＭＩＢ／ＳＩＢの修正、または、ステージ６４２におけるブロードキャスト情報の送信は、必要ではないかもしれない。
【００４８】
ステージ６４４において、命令はアイドルモードのＵＥにより受信される。例えば、無線ネットワーク制御装置により（サポートされているＵＭＴＳセル上の）負荷がしきい値を上回る場合に、ブロードキャストされた命令は、アイドルモードのＵＥが、ＬＴＥネットワークを優先ネットワークにすることになることを示してもよい。優先ネットワークは、複数のネットワークオプションが存在する場合に、ＵＥが通信するのにいずれのネットワークを選択するかを指す。いくつかの構成では、ブロードキャストされた情報は、ＵＭＴＳネットワークが優先ネットワークのままでいることを示す。いくつかの構成では、ＬＴＥセルが電源投入状態に入った後に、いずれの情報もアイドルモードのＵＥにブロードキャストされない。さらに、いくつかの構成では、（ステージ６４４における）アイドルモードのＵＥへの情報のブロードキャストは、ステージ６４０のＲＡＴ間のハンドオーバーの前に実行することも可能である。
【００４９】
いくつかの構成では、ｅノードＢが、図６Ａおよび６Ｂ中で記述したようなネットワーク中の他の外部ノードから要求を受信することなく、ｅノードＢを電源切断状態から出し、電源投入状態に入れることが可能な、ｅノードＢ中のタイマ、または、他の内部トリガに基づいて、ＬＴＥセルに再び電源投入できる。
【００５０】
図７Ａおよび７Ｂは、４Ｇ専用サービスに対するＵＥ開始要求に基づいて、ＬＴＥセルが電源投入状態に入るための方法７００の実施形態を図示している。ステージ７０２において、ＵＥは４Ｇ専用サービスを要求する。この要求は、ステージ７０４において、（ＵＭＴＳセルの）無線ネットワーク制御装置により受信される。無線ネットワーク制御装置は、サービス要求をＵＭＴＳコアネットワークに送信する（ステージ７０６）。ステージ７０８において、ＵＭＴＳコアネットワークにより、サービス要求が受信される。サービス要求を受信することに応答して、ＵＭＴＳコアネットワークは、セキュリティモードコマンドを無線ネットワーク制御装置に送信する（ステージ７１０）。セキュリティモードコマンドは、無線ネットワーク制御装置により受信され（ステージ７１２）、ＵＥに送信される（ステージ７１４）。ステージ７１６において、ＵＥによりセキュリティモードコマンドが受信される。セキュリティモードコマンドに応答して、ＵＥは、セキュリティモード完了表示を送信し（ステージ７１８）、セキュリティモード完了表示は、無線ネットワーク制御装置により受信される（ステージ７２０）。無線ネットワーク制御装置は、セキュリティモード完了表示をＵＭＴＳコアネットワークに送信する（ステージ７２２）。ステージ７２４において、ＵＭＴＳコアネットワークはセキュリティモード完了表示を受信する。
【００５１】
ステージ７２６において、ＵＥにより、アクティブ化ＰＤＰ（パケットデータプロトコル）コンテキスト要求が送信される。アクティブ化ＰＤＰ要求は、無線ネットワーク制御装置により受信され（ステージ７２８）、ＵＭＴＳコアネットワークに送信される（ステージ７３０）。ステージ７３２において、ＵＭＴＳコアネットワークにより、アクティブ化ＰＤＰコンテキスト要求が受信される。方法７００は、図７Ｂへ続く。ステージ７３４において、ＲＡＢ（無線アクセスベアラ）割り当て要求がＵＭＴＳコアネットワークから送信され、無線ネットワーク制御装置により受信される（ステージ７３６）。ステージ７３８において、無線ネットワーク制御措置は、サービスを要求するＵＥを、ＬＴＥネットワーク中のセルにハンドオーバーすべきか否かの決定を行う。ステージ７４０において、無線ベアラセットアップ情報が無線ネットワーク制御装置により送信され、ＵＥにより受信される。ステージ７４４において、無線ベアラセットアップが完了したことを示す情報が無線ネットワーク制御装置に送信される。無線ネットワーク制御装置は、この情報を受信し（ステージ７４６）、無線アクセスベアラ割り当て応答をＵＭＴＳコアネットワークに送信する（ステージ７４８）。ステージ７５０において、ＵＭＴＳコアネットワークにより、この応答が受信される。ステージ７５２において、ＵＭＴＳコアネットワークは、アクティブ化ＰＤＰコンテキスト情報を無線ネットワーク制御装置に送信する。ステージ７５４において、この情報は、無線ネットワーク制御装置により、受信され、ＵＥに送信される（ステージ７５６）。ステージ７５８において、ＵＥにより、アクティブ化ＰＤＰコンテキスト受諾情報が受信される。
【００５２】
ＵＥにより要求されたＱｏＳがＬＴＥネットワークを必要とするとしても、ＵＥは、初めに、（ステージ７０２から７５８において論じたように）無線ネットワーク制御装置により、ＵＭＴＳネットワーク上でリソースを割り当てるかもしれない。ステージ７５８に続いて、無線ネットワーク制御装置は、図６Ａのステージ６０４において詳細に説明したように、電源投入状態に入るための“オン”要求メッセージをｅノードＢに送る。方法７００の残りは、ステージ６０４からの方法６００に続く。いったんｅノードＢが電源投入状態になると、ＵＥは、ＲＡＴ間ハンドオーバー手順または類似する手順を使用して、ＬＴＥネットワークに移される。
【００５３】
いくつかの構成では、現在電源切断状態であるＬＴＥセルに電源投入する決定を、ＵＭＴＳネットワーク中のＲＡＮエンティティ（例えば、無線ネットワーク制御装置）が行う代わりに、ＵＭＴＳコアネットワーク中のエンティティ（例えば、ＳＧＳＮ）により決定を行ってもよい。図８は、ＵＭＴＳコアネットワークのＳＧＳＮに、ＬＴＥセルが電源投入状態に入るべきであり、ＵＥが要求したサービスをそのＬＴＥセルにハンドオーバーすべきであることを決定させるための方法８００の実施形態を図示している。ステージ８１０において、ＵＭＴＳコアネットワークのＳＧＳＮは、ＬＴＥネットワークによりサポートされるＱｏＳに対して、ＵＥからのサービス要求を受信する。ステージ８２０において、サービス要求中の要求されたＱｏＳと、ＵＭＴＳネットワーク上の利用可能なＱｏＳとに基づいて、ＳＧＳＮは、サービスを要求するＵＥをＬＴＥセルにハンドオーバーすべきという決定を行う。このケースでは、ＵＥを別のＲＡＴにハンドオーバーする決定は、ＱｏＳに基づくことができ、他の構成では、決定は、ＳＧＳＮにより評価される予め規定されている条件の他のセットに基づいて行うことができる。また、決定が、ＵＥをＬＴＥセルにハンドオーバーすべきというものである場合に、ＳＧＧＮは、いずれのＬＴＥセルかと、ＬＴＥセルは電源切断状態であるか否かとを決定してもよい。ＳＧＳＮは、ＵＭＴＳコアネットワークおよびＬＴＥコアネットワークを介して、電源切断状態におけるＬＴＥセルに電源投入するためのトリガをセルに送信する（ステージ８２５）。
【００５４】
いったんＳＧＳＮが、ステージ８３０において、ＬＴＥが電源投入状態であるという確認を受信すると、ＳＧＳＮは、ＲＡＮＡＰ（無線アクセスネットワークアプリケーションパート）メッセージを３Ｇネットワークの無線ネットワーク制御装置に送信してもよい。このメッセージは、ＵＥに対して、ＵＭＴＳセルからＬＴＥセルへのハンドオーバーをトリガするように、無線ネットワーク制御装置に通知するインジケータを含む。ステージ８４０において、ＵＥによって、セル識別および測定が実行される。ステージ８４０は、図６Ｂの６３０ないし６３８のようなステージを含む。セル識別および測定に続いて、無線ネットワーク制御装置は、ハンドオーバー手順によりハンドオーバーを開始し、ステージ８５０において、ＬＴＥセルにアクセスするようにＵＥに要求するハンドオーバーコマンドをＵＥに送る。
【００５５】
図９は、方法９００の別の実施形態を図示している。方法９００によって、ＬＴＥセルを電源切断して、電源投入状態に移行させるように要求する決定は、ＵＭＴＳコアネットワーク中のＳＧＳＮにより評価される。ステージ９１０において、ＵＭＴＳコアネットワーク中のＳＧＳＮは、ＬＴＥによりサポートされており、ＵＭＴＳコアネットワークにはサポートされていないＱｏＳに対するＵＥ要求を示すサービス要求を無線ネットワーク制御装置から受信する。ステージ９２０において、サービス要求をサポートするために、ＬＴＥセルへのハンドオーバーが必要であるという決定が、ＳＧＳＮにより行われる。ステージ９３０において、ＳＧＳＮは、ＲＡＮＡＰ（無線アクセスネットワークアプリケーションパート）メッセージを３Ｇネットワークの無線ネットワーク制御装置に送信する。このメッセージは、この要求をサービスするために、ＬＴＥセルへのハンドオーバーが必要であることを、無線ネットワーク制御装置に通知するインジケータを含む。ステージ９４０において、ＲＡＮＡＰメッセージ中のインジケータに基づいて、無線ネットワーク制御装置は、ＬＴＥネットワークとのハンドオーバー手順を開始する。加えて、このハンドオーバーに必要なＬＴＥセルが電源切断状態であると分かった場合に、無線ネットワーク制御装置は、ＬＴＥセルに電源投入状態に入るように依頼する“オン”要求を、ｅノードＢに送信する。
【００５６】
前述の構成は、電源投入状態または電源切断状態に入り、ＵＥを、ＵＭＴＳネットワーク中のセルか、または、ＧＳＭのような２Ｇネットワーク中のセルのいずれかにハンドオーバーするＬＴＥネットワーク中のセルを詳細に説明しているが、ここで記述する原理は、他のワイヤレス通信アレンジメントにも適用可能である。例えば、ここで詳細に説明した構成は、複数のネットワークに対するワイヤレスカバレッジがオーバーラップしており、異なる無線技術を利用する他の状況に適用できる。例えば、オーバーレイネットワークは、４Ｇまたは３Ｇネットワークであってもよい一方で、アンダーレイヤネットワークは、３Ｇまたは２Ｇネットワークであってよい。
【００５７】
無線ネットワーク制御装置、ｅノードＢ、ＵＥ、または、先に詳細に説明した他の何らかのコンピュータ化されたデバイスのアクションを実行するために、図１０中で図示するそれらのようなコンポーネントを備えるコンピュータシステムを使用してもよい。図１０は、ここに記述したような、他のさまざまな実施形態により提供される方法を実行でき、ならびに／あるいは、ホストコンピュータシステム、遠隔キオスク／端末、ポイントオブセールデバイス、移動デバイスおよび／またはコンピュータシステムのように機能できる、コンピュータシステム１０００の１つの実施形態の概念図を提供する。図１０は、さまざまなコンポーネントの一般化された実例を提供することのみを意味し、それらのいずれかまたはすべてが適切に利用されてもよい。図１０は、それゆえ、個々のシステムエレメントがどのように実現されるかを相対的に別々の方法で、または、相対的により統合された方法で広く図示している。
【００５８】
コンピュータシステム１０００は、バス１００５を介して電気的に結合できる（または、そうでなければ、適切に通信してもよい）ハードウェアエレメントを備えるように示されている。ハードウェアエレメントは、限定することなく、１つ以上の汎用プロセッサおよび／または（デジタル信号処理チップ、グラフィック加速プロセッサおよび／またはこれらに類するもののような）１つ以上の特定用途向けプロセッサを含む、１つ以上のプロセッサ１０１０と、限定することなく、マウス、キーボードおよび／またはこれらに類するものを含めることができる、１つ以上の入力デバイス１０１５と、限定することなく、ディスプレイデバイス、プリンタおよび／またはこれらに類するものを含めることができる、１つ以上の出力デバイス１０２０とを含んでもよい。
【００５９】
コンピュータシステム１０００は、さらに、限定することなく、ローカルおよび／またはネットワークアクセス可能記憶装置を含めることができ、ならびに／あるいは、限定することなく、ディスクデバイス、ドライブアレイ、光学記憶デバイス、ランダムアクセスメモリ（“ＲＡＭ”）および／またはプログラム可能で、フラッシュ更新可能なリードオンリーメモリ（“ＲＯＭ”）のような、固体記憶デバイス、ならびに／あるいは、これらに類するものを含めることができる１つ以上の一時的ではない記憶デバイス１０２５を備えていてもよい。このような記憶デバイスは、限定することなく、さまざまなファイルシステム、データベース構造、および／または、これらに類するものを含む、適切なデータ記憶を実行するように構成されていてもよい。
【００６０】
コンピュータシステム１０００はまた、限定することなく、モデム、ネットワークカード（ワイヤレスまたはワイヤード）、赤外線通信デバイス、ワイヤレス通信デバイス、および／または、（ブルートゥース（登録商標）デバイス、８０２．１１デバイス、ＷｉＦｉ（登録商標）デバイス、ＷｉＭａｘデバイス、セルラ通信設備等のような）チップセットを含めることができる通信サブシステム１０３０を備えるかもしれない。通信サブシステム１０３０は、（１つ名前を挙げるとすると、下に記述するネットワークのような）ネットワーク、他のコンピュータシステム、および／または、ここに記述する他の何らかのデバイスと、データを交換することを許可してもよい。多くの実施形態では、コンピュータシステム１０００はさらに、上述したような、ＲＡＭまたはＲＯＭデバイスを含めることができる、一時的ではないワーキングメモリ１０３５を含む。
【００６１】
コンピュータシステム１０００はまた、現在、ワーキングメモリ１０３５内に位置付けられているように示されており、オペレーティングシステム１０４０、デバイスドライバ、実行可能ライブラリ、および／または、１つ以上のアプリケーションプログラム１０４５のような他のコードを含む、ソフトウェアエレメントを備えることができる。他のコードは、さまざまな実施形態により提供されるコンピュータプログラムプロダクトを含んでもよく、および／または、ここで記述したように、方法を実現し、他の実施形態により提供されるシステムを構成するように設計されていてもよい。単なる例として、上で論じた方法に関して記述した１つ以上の手順は、コンピュータ（および／またはコンピュータ内のプロセッサ）により実行可能なコードおよび／または命令として、実現されるかもしれない。ある態様では、このようなコードおよび／または命令を使用して、記述した方法にしたがった１つ以上の動作を実行するように、汎用コンピュータ（または、他のデバイス）を構成および／または適合できる。
【００６２】
これらの命令のセットおよび／またはコードは、上述した記憶デバイス１０２５のようなコンピュータ読取可能記憶媒体上に記憶されるかもしれない。いくつかのケースでは、記憶媒体は、システム１０００のようなコンピュータシステム内に組み込まれているかもしれない。他の実施形態では、記憶媒体を使用して、その上に記憶された命令／コードにより、汎用コンピュータをプログラミング、構成および／または適合できるように、記憶媒体は、コンピュータシステム（例えば、コンパクトディスクのような取り外し可能媒体）から分離しているかもしれず、および／または、インストレーションパッケージ中で提供されているかもしれない。これらの命令は、コンピュータシステム１０００により実行可能である、実行可能なコードの形態をとるかもしれず、および／または、（例えば、一般的に利用可能な、さまざまな、コンパイラ、インストレーションプログラム、圧縮／減圧ユーティリティ等のうちのいずれかを使用する）コンピュータシステム１０００上でのコンパイルおよび／またはインストレーションのときに、ソースおよび／またはインストール可能なコードの形態をとるかもしれず、そして、実行可能なコードの形態をとる。
【００６３】
特定の要件にしたがって、実質的なバリエーションを作ってもよい。例えば、カスタマイズされたハードウェアも使用してもよく、および／または、特定のエレメントは、ハードウェア、（アプレットのようなポータブルソフトウェア等を含む）ソフトウェア、または、双方で実現してもよい。さらに、ネットワーク入力／出力デバイスのような、他のコンピューティングデバイスへの接続を用いてもよい。
【００６４】
いくつかの実施形態は、開示にしたがって方法を実現するために、（コンピュータシステム１０００のような）コンピュータシステムを用いてもよい。例えば、記述した方法の手順のうちのいくつか、または、すべては、ワーキングメモリ１０３５中に含まれる（オペレーティングシステム１０４０、および／または、アプリケーションプログラム１０４５のような他のコード中に組み込まれているかもしれない）１つ以上の命令の１つ以上のシーケンスを実行するプロセッサ１０１０に応答して、コンピュータシステム１０００により実行されてもよい。このような命令は、記憶デバイス１０２５の１つ以上のような、別のコンピュータ読取可能媒体から、ワーキングメモリ１０３５中に読み込まれてもよい。単なる例として、ワーキングメモリ１０３５中に含まれる命令のシーケンスの実行により、プロセッサ１０１０に、ここで記述した方法の１つ以上の手順を実行させるかもしれない。
【００６５】
ここで使用する“機械読取可能媒体”および“コンピュータ読取可能媒体”という用語は、特定の方法で機械を動作させるデータを提供することに関係する何らかの媒体のことを指す。コンピュータシステム１０００を使用して実現される実施形態では、さまざまなコンピュータ読取可能媒体が、実行のために命令／コードをプロセッサ１０１０に提供することに伴っているかもしれず、ならびに／あるいは、（例えば、信号のような）このような命令／コードを記憶および／または運ぶために使用されているかもしれない。多くのインプリメンテーションでは、コンピュータ読取可能媒体は、物理的および／または有形の記憶媒体である。このような媒体は、これらには限定されないが、不揮発性の媒体、揮発性の媒体および伝送媒体を含む、多くの形態をとってもよい。不揮発性の媒体は、例えば、記憶デバイス１０２５のような、光学および／または磁気ディスクを含む。揮発性の媒体は、限定することなく、ワーキングメモリ１０３５のような、ダイナミックメモリを含む。伝送媒体は、限定することなく、バス１００５とともに、通信サブシステム１０３０のさまざまなコンポーネント（および／または、通信サブシステム１０３０がそれによって他のデバイスとの通信を提供する媒体）を含む、ワイヤを含む、同軸ケーブル、銅ワイヤおよび光ファイバを含む。したがって、伝送媒体は、（限定することなく、無線波および赤外線データ通信の間に発生されるそれらのような、無線波、音波および／または光波を含む）波形の形態をとることもできる。
【００６６】
物理的および／または有形のコンピュータ読取可能媒体の一般的な形態は、例えば、フロッピー（登録商標）ディスク、フレキシブルディスク、ハードディスク、磁気テープまたは他の何らかの磁気媒体、ＣＤ−ＲＯＭ、他の何らかの光学媒体、パンチカード、ペーパーテープ、穴のパターンを持つ他の何らかの物理媒体、ＲＡＭ、ＰＲＯＭ、ＥＰＲＯＭ、ＦＬＡＳＨ−ＥＰＲＯＭ、他の何らかのメモリチップもしくはカートリッジ、下に記述する搬送波、あるいは、コンピュータがそこから命令および／またはコードを読み込める他の何らかの媒体の形態を含む。
【００６７】
実行のために、１つ以上の命令の１つ以上のシーケンスをプロセッサ１０１０に運ぶ際に、コンピュータ読取可能媒体のさまざまな形態を伴ってもよい。単なる例として、命令は、最初に、遠隔コンピュータの磁気ディスクおよび／または光ディスク上で運ばれてもよい。遠隔コンピュータは、そのダイナミックメモリ中に命令をロードし、伝送媒体を通して、コンピュータシステム１０００により受信および／または実行されることになる命令を信号として送ってもよい。電磁気信号、音響信号、光学信号、および／または、これらに類するものの形態であるかもしれない、これらの信号はすべて、本発明のさまざまな実施形態にしたがって、命令をその上でエンコードできる搬送波の例である。
【００６８】
通信サブシステム１０３０（および／またはそのコンポーネント）は、一般的に、信号を受信し、バス１００５は、その後、信号（および／または、信号により運ばれる、データ、命令等）をワーキングメモリ１０３５に運ぶかもしれず、プロセッサ１００５は、ワーキングメモリ１０３５から、命令を検索して実行する。ワーキングメモリ１０３５により受け取られる命令は、オプションとして、プロセッサ１０１０による実行の前または後のいずれかに、記憶デバイス１０２５上に記憶されてもよい。
【００６９】
上で論じた、方法、システムおよびデバイスは例である。さまざまな実施形態は、適切に、さまざまな手順またはコンポーネントを、省略、置換または追加してもよい。例えば、代替的な構成では、記述した方法は、記述した順序と異なる順序で実行されてもよく、および／または、さまざまなステージを追加、省略および／または組み合わせてもよい。また、特定の実施形態に関して記述した特徴は、他のさまざまな実施形態において組み合わせてもよい。実施形態の、異なる態様およびエレメントは、類似する方法で組み合わせてもよい。また、技術は進化するので、エレメントの多くのものは、開示の範囲をそれらの特定の例に限定しない例である。
【００７０】
説明において、実施形態の完全な理解を提供するために、特定の詳細が与えられている。しかしながら、これらの特定の詳細なしで、実施形態を実施してもよい。例えば、よく知られている回路、処理、アルゴリズム、構造および技術は、実施形態を曖昧にすることを避けるために、不必要な詳細なしで示されている。この記述は、例示的な実施形態のみを提供し、発明の、範囲、適用可能性または構成を限定することを意図していない。むしろ、実施形態の先の記述は、本発明の実施形態を実現するための使用可能な説明を当業者に提供することになる。本発明の精神および範囲から逸脱することなく、エレメントの機能およびアレンジメントにおいて、さまざまな変更が行われてもよい。
【００７１】
また、いくつかの実施形態は、フローダイヤグラムまたはブロックダイヤグラムとして図示したプロセスとして記述した。各々は、シーケンシャルなプロセスとして動作を記述するかもしれないが、動作の多くは、並列に、または、同時に実行できる。加えて、動作の順序は再構成可能である。プロセスは、図面中には含まれていない追加のステップを有していてもよい。さらに、方法の実施形態は、ハードウェア、ソフトウェア、ファームウェア、ミドルウェア、マイクロコード、ハードウェア記述言語、または、これらの何らかの組み合わせにより実現してもよい。ソフトウェア、ファームウェア、ミドルウェアまたはマイクロコードで実行されるとき、関係するタスクを実行するためのプログラムコードまたはコードセグメントは、記憶媒体のようなコンピュータ読取可能媒体中に記憶されてもよい。プロセッサが、関係するタスクを実行してもよい。
【００７２】
いくつかの実施形態を記述してきたが、本開示の精神から逸脱することなく、さまざまな修正、代替構造および均等物を使用してもよい。例えば、上述のエレメントは、単に、より大きなシステムのコンポーネントであってもよく、他のルールが、手順を引き継ぐ、または、そうでなければ、本発明の出願を修正してもよい。また、上述のエレメントが考慮される前、間または後に、ステップの多くに取り掛かってもよい。したがって、上の記述は、開示の範囲を限定しない。
以下に、本願出願の当初の特許請求の範囲に記載された発明を付記する。
［１］  ワイヤレスネットワーク通信を管理するシステムにおいて、第１の無線アクセス技術（ＲＡＴ）を使用する第１のセルと、第２のＲＡＴを使用する第２のセルとを具備し、前記第１のセルは、電源投入状態および電源切断状態を有し、複数のＵＥとともにデータを送受信するように構成されており、前記第２のセルは、前記第１のセルと通信し、少なくとも、前記第１のＲＡＴを使用する前記第１のセルが前記電源切断状態であるときに、前記複数のＵＥにワイヤレスサービスを提供し、前記第１のセルが前記電源投入状態であるときに、前記第１のセルを使用する、前記複数のＵＥのうちの少なくとも１つのＵＥを移行するように構成されているシステム。
［２］  前記第１のＲＡＴを使用する前記第１のセルは、１つ以上の予め規定されている条件の第１のセットに基づいて、前記電源切断状態に入り、前記第１のセルは、前記電源切断状態において、前記電源投入状態よりも少ない電力を消費し、１つ以上の予め規定されている条件の第２のセットに基づいて、前記電源投入状態に入り、前記第１のセルは、前記電源投入状態において、前記電源切断状態よりも多い電力を消費するようにさらに構成されている［１］に記載のシステム。
［３］  前記１つ以上の予め規定されている条件の第１のセットは、前記第１のＲＡＴによりサポートされているが、前記第２のＲＡＴによってはサポートされていないサービスを、前記複数のＵＥのうちのどのＵＥも使用していない場合に、前記第１のセルは、前記電源切断状態に入ることを許可されるという条件を含む［２］に記載のシステム。
［４］  前記１つ以上の予め規定されている条件の第１のセットは、前記第１のＲＡＴを使用する前記第１のセル上の負荷が、予め規定されているしきい値を下回る場合に、前記第１のセルは、前記電源切断状態に入ることを許可されるという条件を含む［２］に記載のシステム。
［５］  前記１つ以上の予め規定されている条件の第１のセットは、前記電源切断状態に入るためのタイマがトリガされた場合に、前記第１のセルは、前記電源切断状態に入ることを許可されるという条件を含む［２］に記載のシステム。
［６］  前記１つ以上の予め規定されている条件の第２のセットは、前記第２のセルからサービスを受信している前記複数のＵＥのうちの一部が弱い信号を報告する場合に、前記第１のセルは、前記電源投入状態に入るように要求されるという条件を含む［２］に記載のシステム。
［７］  前記１つ以上の予め規定されている条件の第２のセットは、前記第２のセルからサービスを受信している特定のＵＥが、前記第２のＲＡＴによりサポートされていないが、前記第１のＲＡＴによってはサポートされている、サービスの品質またはアプリケーションを要求する場合に、前記第１のセルは、前記電源投入状態に入ることを要求されるという条件を含む［２］に記載のシステム。
［８］  前記１つ以上の予め規定されている条件の第２のセットは、前記第２のＲＡＴを使用する前記第２のセルの負荷がしきい値負荷を超える場合に、前記第１のセルは、前記電源投入状態に入るように要求されるという条件を含む［２］に記載のシステム。
［９］  前記１つ以上の予め規定されている条件の第２のセットは、前記電源切断状態を出るためのタイマがトリガされた場合に、前記第１のセルは、前記電源投入状態に入ることを許可されるという条件を含む［２］に記載のシステム。
［１０］  前記第２のＲＡＴを使用し、前記第２のセルを含む無線アクセスネットワーク（ＲＡＮ）をさらに具備し、前記１つ以上の予め定められている条件の、前記第１のセット、前記第２のセットおよび双方のセットは、前記ＲＡＮにより評価されるように構成されている［２］に記載のシステム。
［１１］  前記第２のセルを含む、前記第２のＲＡＴのコアネットワークをさらに具備し、前記１つ以上の予め定められている条件の、前記第１のセット、前記第２のセットおよび双方のセットは、前記コアネットワークにより評価されるように構成されている［２］に記載のシステム。
［１２］  前記無線アクセスネットワークは、ＵＭＴＳ無線アクセスネットワーク（ＵＴＲＡＮ）と、ＧＳＭエッジ無線アクセスネットワーク（ＧＥＲＡＮ）とからなるグループから選択される［１０］に記載のシステム。
［１３］  前記第１のセルはｅノードＢを備え、前記第１のＲＡＴはＬＴＥであり、前記１つ以上の予め定められている条件の、前記第１のセット、前記第２のセットおよび双方のセットは、前記ｅノードＢにより評価されるように構成されている［２］に記載のシステム。
［１４］  前記第２のＲＡＴを使用し、前記第２のセルと通信する無線ネットワーク制御装置をさらに具備し、前記１つ以上の予め規定されている条件の第２のセットは、前記無線ネットワーク制御装置により評価されるように構成されている［２］に記載のシステム。
［１５］  前記第２のＲＡＴを使用する前記第２のセルは、前記第１のセルが、前記電源投入状態に入る間に、または、前記電源投入状態に入ることに続いて、前記第２のＲＡＴよりも前記第１のＲＡＴを優先させるように前記複数のＵＥのうちの少なくとも一部に命令する情報を、前記複数のＵＥの前記一部にブロードキャストするようにさらに構成されている［１］に記載のシステム。
［１６］  前記第２のＲＡＴを使用する前記第２のセルは、前記第１のセルが、前記電源切断状態に入る間に、または、電源切断状態に入ることに続いて、前記第１のＲＡＴよりも前記第２のＲＡＴを優先させるように前記複数のＵＥのうちの少なくとも一部に命令する情報を、前記複数のＵＥの前記一部にブロードキャストするようにさらに構成されている［１］に記載のシステム。
［１７］  前記第１のＲＡＴを使用する前記第１のセルは、ＲＡＴ間のハンドオーバープロセスに参加し、前記複数のＵＥのうちの１つ以上のＵＥを、前記第２のＲＡＴを使用する前記第２のセルに移すようにさらに構成されている［１］に記載のシステム。
［１８］  前記第２のＲＡＴを使用する前記第２のセルは、ＲＡＴ間のハンドオーバープロセスに参加し、前記複数のＵＥのうちの１つ以上のＵＥを、前記第１のＲＡＴを使用する前記第１のセルに移すようにさらに構成されている［１］に記載のシステム。
［１９］  ワイヤレスネットワーク通信を管理するための方法において、第１のセルにより、第１のサービスレベルで複数のＵＥにワイヤレスサービスを提供することと、第２のセルにより、前記複数のＵＥにワイヤレスサービスを提供することと、前記第１のセルが電源投入状態であるときに、前記第１のセルを使用する、前記複数のＵＥのうちの少なくとも１つのＵＥを前記第２のセルから移行することとを含み、前記第１のセルは、第１の無線アクセス技術（ＲＡＴ）を使用し、前記電源投入状態および電源切断状態を有し、前記第２のセルは、第２の無線アクセス技術を使用し、少なくとも、前記第１のＲＡＴを使用する前記第１のセルが前記電源切断状態であるときに、前記複数のＵＥにワイヤレスサービスを提供する方法。
［２０］  １つ以上の予め規定されている条件の第１のセットに基づいて、前記第１のセルによって、前記電源切断状態に入り、前記第１のセルは、前記電源切断状態において、前記電源投入状態よりも少ない電力を消費することと、１つ以上の予め規定されている条件の第２のセットに基づいて、前記第１のセルによって、前記電源投入状態に入り、前記第１のセルは、前記電源投入状態において、前記電源切断状態よりも多い電力を消費することとをさらに含む［１９］に記載の方法。
［２１］  前記１つ以上の予め規定されている条件の第１のセットは、前記第１のＲＡＴによりサポートされているが、前記第２のＲＡＴによってはサポートされていないサービスを、前記複数のＵＥのうちのどのＵＥも使用していない場合に、前記第１のセルは、前記電源切断状態に入ることを許可されるという条件を含む［２０］に記載の方法。
［２２］  前記１つ以上の予め規定されている条件の第１のセットは、前記第１のＲＡＴを使用する前記第１のセル上の負荷が、予め規定されているしきい値を下回る場合に、前記第１のセルは、前記電源切断状態に入ることを許可されるという条件を含む［２０］に記載の方法。
［２３］  前記１つ以上の予め規定されている条件の第１のセットは、前記電源切断状態に入るためのタイマがトリガされた場合に、前記第１のセルは、前記電源切断状態に入ることを許可されるという条件を含む［２０］に記載の方法。
［２４］  前記１つ以上の予め規定されている条件の第２のセットは、前記第２のセルからサービスを受信している前記複数のＵＥのうちの一部が弱い信号を報告する場合に、前記第１のセルは、前記電源投入状態に入るように要求されるという条件を含む［２０］に記載の方法。
［２５］  前記１つ以上の予め規定されている条件の第２のセットは、前記第２のセルからサービスを受信している特定のＵＥが、前記第２のＲＡＴによりサポートされていないが、前記第１のＲＡＴによってはサポートされている、サービスの品質またはアプリケーションを要求する場合に、前記第１のセルは、前記電源投入状態に入ることを要求されるという条件を含む［２０］に記載の方法。
［２６］  前記１つ以上の予め規定されている条件の第２のセットは、第２のＲＡＴ負荷がしきい値負荷を超える場合に、前記第１のセルは、前記電源投入状態に入るように要求されるという条件を含み、前記第２のＲＡＴ負荷は、前記第２のＲＡＴを使用する複数のセルに対する負荷を含み、前記第２のＲＡＴ負荷は、前記第２のセルに対する負荷を含む［２０］に記載の方法。
［２７］  前記１つ以上の予め規定されている条件の第２のセットは、前記電源切断状態を入るためのタイマがトリガされた場合に、前記第１のセルは、前記電源投入状態に入ることを許可されるという条件を含む［２０］に記載の方法。
［２８］  前記第１のＲＡＴは４Ｇ ＲＡＴであり、前記第２のＲＡＴは３Ｇ ＲＡＴである［２０］に記載の方法。
［２９］  前記第１のセルはｅノードＢを備え、前記第１のＲＡＴはＬＴＥであり、前記１つ以上の予め定められている条件の第１のセットは、前記ｅノードＢにより評価されるように構成されている［２０］に記載の方法。
［３０］  前記第１のセルが電源投入状態であるときに、前記第１のセルを使用する、前記複数のＵＥのうちの少なくとも１つのＵＥを前記第２のセルから移行することは、前記第２のＲＡＴよりも前記第１のＲＡＴを優先させるように前記複数のＵＥのうちの少なくとも一部に命令する情報を、前記複数のＵＥのうちの前記一部に前記第２のセルによりブロードキャストすることを含む［１９］に記載の方法。
［３１］  前記第１のセルが電源投入状態であるときに、前記第１のセルを使用する、前記複数のＵＥのうちの少なくとも１つのＵＥを前記第２のセルから移行することは、前記複数のＵＥのうちの１つ以上のＵＥを、前記第２のＲＡＴを使用する前記第２のセルから前記第１のＲＡＴを使用する前記第１のセルに移すための、ＲＡＴ間のハンドオーバープロセスを、前記第１のセルおよび前記第２のセルにより実行することを含む［１９］に記載の方法。
［３２］  一時的ではないプロセッサ読取可能媒体上に常駐しており、プロセッサ読取可能命令を含むコンピュータプログラムプロダクトにおいて、前記プロセッサ読取可能命令は、第１のサービスレベルで複数のＵＥにワイヤレスサービスを第１のセルに提供させ、前記複数のＵＥにワイヤレスサービスを第２のセルに提供させ、前記第１のセルが電源投入状態であるときに、前記第１のセルを使用する、前記複数のＵＥのうちの１つ以上のＵＥを前記第２のセルから移行させるように、プロセッサにさせるように構成されており、前記第１のセルは、第１の無線アクセス技術（ＲＡＴ）を使用し、前記電源投入状態および電源切断状態を有し、前記第２のセルは、第２の無線アクセス技術を使用し、少なくとも、前記第１のＲＡＴを使用する前記第１のセルが前記電源切断状態であるときに、前記複数のＵＥにワイヤレスサービスを提供するコンピュータプログラムプロダクト。
［３３］  １つ以上の予め規定されている条件の第１のセットに基づいて、前記第１のセルに、前記電源切断状態に入らせ、前記第１のセル、前記電源切断状態において、前記電源投入状態よりも少ない電力を消費させ、１つ以上の予め規定されている条件の第２のセットに基づいて、前記第１のセルに、前記電源投入状態に入らせ、前記第１のセルに、前記電源投入状態において、前記電源切断状態よりも多い電力を消費させるように、前記プロセッサにさせるように構成されているプロセッサ読取可能命令をさらに含む［３２］に記載のコンピュータプログラムプロダクト。
［３４］  前記１つ以上の予め規定されている条件の第１のセットは、前記第１のＲＡＴによりサポートされているが、前記第２のＲＡＴによってはサポートされていないサービスを、前記複数のＵＥのうちのどのＵＥも使用していない場合に、前記第１のセルは、前記電源切断状態に入ることを許可されるという条件を含む［３３］に記載のコンピュータプログラムプロダクト。
［３５］  前記１つ以上の予め規定されている条件の第１のセットは、前記第１のＲＡＴを使用する前記第１のセル上の負荷が、予め規定されているしきい値を下回る場合に、前記第１のセルは、前記電源切断状態に入ることを許可されるという条件を含む［３３］に記載のコンピュータプログラムプロダクト。
［３６］  前記１つ以上の予め規定されている条件の第１のセットは、前記電源切断状態に入るためのタイマがトリガされた場合に、前記第１のセルは、前記電源切断状態に入ることを許可されるという条件を含む［３３］に記載のコンピュータプログラムプロダクト。
［３７］  前記１つ以上の予め規定されている条件の第２のセットは、前記第２のセルからサービスを受信している前記複数のＵＥのうちの一部が弱い信号を報告する場合に、前記第１のセルは、前記電源投入状態に入るように要求されるという条件を含む［３３］に記載のコンピュータプログラムプロダクト。
［３８］  前記１つ以上の予め規定されている条件の第２のセットは、前記第２のセルからサービスを受信している特定のＵＥが、前記第２のＲＡＴによりサポートされていないが、前記第１のＲＡＴによってはサポートされている、サービスの品質またはアプリケーションを要求する場合に、前記第１のセルは、前記電源投入状態に入ることを要求されるという条件を含む［３３］に記載のコンピュータプログラムプロダクト。
［３９］  前記１つ以上の予め規定されている条件の第２のセットは、前記第２のＲＡＴを使用する前記第２のセルの負荷がしきい値負荷を超える場合に、前記第１のセルは、前記電源投入状態に入るように要求されるという条件を含む［３３］に記載のコンピュータプログラムプロダクト。
［４０］  前記１つ以上の予め規定されている条件の第２のセットは、前記電源切断状態を入るためのタイマがトリガされた場合に、前記第１のセルは、前記電源投入状態に入ることを許可されるという条件を含む［３３］に記載のコンピュータプログラムプロダクト。
［４１］  前記第１のＲＡＴは４Ｇ ＲＡＴであり、前記第２のＲＡＴは３Ｇ ＲＡＴである［３３］に記載のコンピュータプログラムプロダクト。
［４２］  前記第１のセルが電源投入状態であるときに、前記第１のセルを使用する、前記複数のＵＥのうちの１つ以上のＵＥを移行させるように、前記プロセッサにさせるように構成されているプロセッサ読取可能命令は、前記第２のＲＡＴよりも前記第１のＲＡＴを優先させるように前記複数のＵＥのうちの少なくとも一部に命令する情報を、前記複数のＵＥのうちの前記一部に前記第２のセルにブロードキャストさせるように、前記プロセッサにさせるように構成されているプロセッサ読取可能命令をさらに含む［３２］に記載のコンピュータプログラムプロダクト。
［４３］  前記第１のセルが電源投入状態であるときに、前記第１のセルを使用する、前記複数のＵＥのうちの１つ以上のＵＥを移行させるように、前記プロセッサにさせるように構成されているプロセッサ読取可能命令は、前記複数のＵＥのうちの１つ以上のＵＥを、前記第２のＲＡＴを使用する前記第２のセルから前記第１のＲＡＴを使用する前記第１のセルに移すための、ＲＡＴ間のハンドオーバープロセスを、前記第１のセルおよび前記第２のセルに実行させるように、前記プロセッサにさせるように構成されているプロセッサ読取可能命令をさらに含む［３２］に記載のコンピュータプログラムプロダクト。
［４４］  ワイヤレスネットワーク通信を管理する装置において、第１の無線アクセス技術（ＲＡＴ）を使用して、第１のサービスレベルで複数のＵＥにワイヤレスサービスを提供する第１の手段と、第２の無線アクセス技術を使用して、前記複数のＵＥにワイヤレスサービスを提供する第２の手段と、前記第１の手段が電源投入状態であるときに、前記第１の手段を使用する、前記複数のＵＥのうちの少なくとも１つのＵＥを前記第２の手段から移行する手段とを具備し、前記第１の手段は、前記電源投入状態および電源切断状態を有し、前記第２の手段は、少なくとも、前記第１のＲＡＴを使用する前記第１の手段が前記電源切断状態であるときに、前記複数のＵＥにワイヤレスサービスを提供する装置。
［４５］  １つ以上の予め規定されている条件の第１のセットに基づいて、前記第１の手段を前記電源切断状態に入れる手段であり、前記第１の手段は、前記電源切断状態において、前記電源投入状態よりも少ない電力を消費する第３の手段と、１つ以上の予め規定されている条件の第２のセットに基づいて、前記第１の手段を前記電源投入状態に入れる手段であり、前記第１の手段は、前記電源投入状態において、前記電源切断状態よりも多い電力を消費する第４の手段とをさらに具備する［４４］に記載の装置。
［４６］  前記１つ以上の予め規定されている条件の第１のセットは、前記第１のＲＡＴによりサポートされているが、前記第２のＲＡＴによってはサポートされていないサービスを、前記複数のＵＥのうちのどのＵＥも使用していない場合に、前記第１の手段は、前記電源切断状態に入ることを許可されるという条件を含む［４５］に記載の装置。
［４７］  前記１つ以上の予め規定されている条件の第１のセットは、前記第１のＲＡＴを使用する前記第１のセル上の負荷が、予め規定されているしきい値を下回る場合に、前記第１の手段は、前記電源切断状態に入ることを許可されるという条件を含む［４５］に記載の装置。
［４８］  前記１つ以上の予め規定されている条件の第１のセットは、前記電源切断状態に入るためのタイマがトリガされた場合に、前記第１の手段は、前記電源切断状態に入ることを許可されるという条件を含む［４５］に記載の装置。
［４９］  前記１つ以上の予め規定されている条件の第２のセットは、前記第２の手段からサービスを受信している前記複数のＵＥのうちの一部が弱い信号を報告する場合に、前記第１の手段は、前記電源投入状態に入るように要求されるという条件を含む［４５］に記載の装置。
［５０］  前記１つ以上の予め規定されている条件の第２のセットは、前記第２の手段からサービスを受信している特定のＵＥが、前記第２のＲＡＴによりサポートされていないが、前記第１のＲＡＴによってはサポートされている、サービスの品質またはアプリケーションを要求する場合に、前記第１の手段は、前記電源投入状態に入ることを要求されるという条件を含む［４５］に記載の装置。
［５１］  前記１つ以上の予め規定されている条件の第２のセットは、前記第２のＲＡＴを使用する前記第２の手段の負荷を含む負荷がしきい値負荷を超える場合に、前記第１の手段は、前記電源投入状態に入るように要求されるという条件を含む［４５］に記載の装置。
［５２］  前記１つ以上の予め規定されている条件の第２のセットは、前記電源切断状態を入るためのタイマがトリガされた場合に、前記第１の手段は、前記電源投入状態に入ることを許可されるという条件を含む［４５］に記載の装置。
［５３］  前記第１のＲＡＴは４Ｇ ＲＡＴであり、前記第２のＲＡＴは３Ｇ ＲＡＴである［４５］に記載の装置。
［５４］  前記第１の手段が電源投入状態であるときに、前記第１の手段を使用する、前記複数のＵＥのうちの少なくとも１つのＵＥを前記第２の手段から移行する前記第３の手段は、前記第２のＲＡＴよりも前記第１のＲＡＴを優先させるように前記複数のＵＥのうちの少なくとも一部に命令する情報を、前記複数のＵＥのうちの前記一部にブロードキャストする第４の手段を備える［４４］に記載の装置。
［５５］  前記第１の手段が電源投入状態であるときに、前記第１の手段を使用する、前記複数のＵＥのうちの少なくとも１つのＵＥを前記第２の手段から移行する前記第３の手段は、前記複数のＵＥのうちの１つ以上のＵＥを、前記第２のＲＡＴを使用する前記第２の手段から前記第１のＲＡＴを使用する前記第１の手段に移すための、ＲＡＴ間のハンドオーバープロセスを実行する第４の手段を備える［４４］に記載の装置。
【図１】
0005972861.tif 000002
【図２Ａ】
0005972861.tif 000003
【図２Ｂ】
0005972861.tif 000004
【図３】
0005972861.tif 000005
【図４】
0005972861.tif 000006
【図５】
0005972861.tif 000007
【図６Ａ】
0005972861.tif 000008
【図６Ｂ】
0005972861.tif 000009
【図７Ａ】
0005972861.tif 000010
【図７Ｂ】
0005972861.tif 000011
【図８】
0005972861.tif 000012
【図９】
0005972861.tif 000013
【図１０】
0005972861.tif 000014